(57)【要約】  本発明の実施形態は、通信方法および関連製品を開示する。アクセスネットワーク側で実装される方法は、アクセスネットワークデバイスが、ユーザ機器に指示情報を送信する段階であって、ここで、指示情報は、マルチキャストサービスデータの受信方式を示すのに使用され、受信方式は、ユニキャスト方式および／またはマルチキャスト方式を含む、送信する段階と、アクセスネットワークデバイスが、指示情報により示されるユニキャスト方式および／またはマルチキャスト方式でマルチキャストサービスデータを送信する段階とを備える。マルチキャストサービスデータの送信は、マルチキャストサービスデータを受信する全てのユーザ機器がマルチキャスト方式でマルチキャストサービスデータを受信することに限定されず、それにより伝送効率に影響を与えるユーザ機器の除外を容易にして、マルチキャストサービスの伝送効率を向上させる。
2021508968.tif 000002
【特許請求の範囲】
【請求項１】
通信方法であって、
アクセスネットワークデバイスが、ユーザ機器に指示情報を送信する段階であって、前記指示情報は、マルチキャストサービスデータの受信方式を示すのに使用され、前記受信方式は、ユニキャスト方式および／またはマルチキャスト方式を含む、送信する段階と、
前記アクセスネットワークデバイスが、前記指示情報により示される前記ユニキャスト方式および／または前記マルチキャスト方式で前記マルチキャストサービスデータを送信する段階と
を備える、方法。
【請求項２】
前記方法はさらに、
前記アクセスネットワークデバイスが、前記ユーザ機器に構成情報を送信する段階であって、前記構成情報は前記マルチキャストサービスデータを受信するのに使用される、送信する段階を備える、請求項１に記載の方法。
【請求項３】
前記構成情報は、
マルチキャストベアラの構成情報、前記マルチキャストベアラに対応するマルチキャストセッション情報、前記マルチキャストベアラの論理チャネル情報、マルチキャストスケジューリング識別子情報、前記マルチキャスト方式で前記マルチキャストサービスデータを送信するための伝送チャネルについての情報、前記ユニキャスト方式で前記マルチキャストサービスデータを送信するための伝送チャネルについての情報、マルチキャスト論理チャネル情報、前記マルチキャストサービスデータの前記伝送チャネルの測定構成情報、およびマルチキャストに関連付けられたユニキャスト構成情報の少なくとも１つを備える、請求項２に記載の方法。
【請求項４】
前記方法はさらに、
前記アクセスネットワークデバイスが、前記ユーザ機器またはコアネットワークデバイスにより送信されるマルチキャストサービス情報を受信する段階であって、前記マルチキャストサービス情報は、前記マルチキャストサービスデータを受信するように前記ユーザ機器に命令するのに使用され、前記マルチキャストサービス情報は、前記ユーザ機器の識別子情報およびマルチキャストサービスの識別子情報を含む、受信する段階を備える、請求項１に記載の方法。
【請求項５】
前記アクセスネットワークデバイスが、前記ユーザ機器またはコアネットワークデバイスにより送信されるマルチキャストサービス情報を受信する前記段階は、
前記アクセスネットワークデバイスが、前記コアネットワークデバイスによる送信されるマルチキャストセッション確立要求を受信する段階であって、前記マルチキャストセッション確立要求は、前記ユーザ機器の識別子情報および前記マルチキャストサービスの識別子情報を含む、受信する段階、または
前記アクセスネットワークデバイスが、前記コアネットワークデバイスまたは前記ユーザ機器により送信されるマルチキャストメンバ変更情報を受信する段階と
を含む、請求項４に記載の方法。
【請求項６】
前記方法はさらに、
前記マルチキャストサービスデータを受信するユーザ機器の数に基づいて、前記アクセスネットワークデバイスが、前記ユニキャスト方式および／または前記マルチキャスト方式で前記マルチキャストサービスデータを受信するように前記ユーザ機器に命令する段階、または、
前記アクセスネットワークデバイスが、前記ユーザ機器により送信されるチャネル測定情報を受信し、前記チャネル測定情報に基づいて、前記ユニキャスト方式および／または前記マルチキャスト方式で前記マルチキャストサービスデータを受信するように前記ユーザ機器に命令する段階
を備える、請求項１から５のいずれか一項に記載の方法。
【請求項７】
前記構成情報は、
第１マルチキャスト構成情報および第２マルチキャスト構成情報を含み、前記指示情報は、前記マルチキャストサービスデータの前記受信方式が前記マルチキャスト方式を含むことを示し、
前記指示情報は、前記第１マルチキャスト構成情報または前記第２マルチキャスト構成情報が、前記マルチキャストサービスデータを受信するのに使用されることを示す、請求項２に記載の方法。
【請求項８】
前記方法はさらに、
前記アクセスネットワークデバイスが、前記ユーザ機器の命令に従って、前記ユニキャスト方式で前記マルチキャストサービスデータにおける少なくとも１つのデータパケットを送信する段階、または、
前記アクセスネットワークデバイスが、前記コアネットワークデバイスの指示に従って、前記ユニキャスト方式で前記マルチキャストサービスデータにおける少なくとも１つのデータパケットを送信する段階、または、
前記アクセスネットワークデバイスが、少なくとも１つのデータパケットの種類情報に基づいて、前記ユニキャスト方式で前記マルチキャストサービスデータにおける前記少なくとも１つのデータパケットを送信する段階
を備える、請求項１から７のいずれか一項に記載の方法。
【請求項９】
前記少なくとも１つのデータパケットは、前記マルチキャスト方式で送信され、前記アクセスネットワークデバイスにおいてバッファリングされるマルチキャストサービスデータであるか、または、前記マルチキャスト方式で送信され、マルチキャストサービスデータソースから受信されるマルチキャストサービスデータである、請求項８に記載の方法。
【請求項１０】
前記方法はさらに、
前記アクセスネットワークデバイスが、前記ユーザ機器により送信される受信ステータス情報を受信する段階であって、前記受信ステータス情報は、前記マルチキャストサービスデータにおける前記データパケットの受信ステータスを示すのに使用される、受信する段階と、
前記アクセスネットワークデバイスが、前記受信ステータス情報に基づいて、前記ユニキャスト方式で、前記マルチキャストサービスデータにおける受信に失敗したデータパケットを前記ユーザ機器に送信する段階と
を備える、請求項１から９のいずれか一項に記載の方法。
【請求項１１】
前記方法はさらに、
前記アクセスネットワークデバイスが、パケットデータコンバージェンスプロトコルＰＤＣＰ層を使用することにより、ユニキャスト無線リンク制御ＲＬＣエンティティに送信対象のマルチキャストサービスデータを送信する段階と、
前記ユニキャスト方式で前記送信対象のマルチキャストサービスデータを送信する段階と
を備える、請求項１から９のいずれか一項に記載の方法。
【請求項１２】
前記方法はさらに、
前記アクセスネットワークデバイスが、前記パケットデータコンバージェンスプロトコルＰＤＣＰ層において前記送信対象のマルチキャストサービスデータを複製する段階と、
前記送信対象のマルチキャストサービスデータを記憶する段階と
を備える、請求項１１に記載の方法。
【請求項１３】
前記方法はさらに、
前記アクセスネットワークデバイスが、マルチキャストパケットデータコンバージェンスプロトコルＰＤＣＰ層を使用することにより、マルチキャスト無線リンク制御ＲＬＣエンティティに送信対象のマルチキャストサービスデータを送信する段階と、前記マルチキャスト無線リンク制御ＲＬＣエンティティが、ユニキャスト媒体アクセス制御ＭＡＣエンティティに前記送信対象のマルチキャストサービスデータを送信する段階と、前記ユニキャスト媒体アクセス制御ＭＡＣエンティティが、前記ユニキャスト方式で前記送信対象のマルチキャストサービスデータを送信する段階と
を備える、請求項１から９のいずれか一項に記載の方法。
【請求項１４】
通信方法であって、
ユーザ機器が、アクセスネットワークデバイスにより送信される指示情報を受信する段階であって、前記指示情報は、マルチキャストサービスデータの受信方式を示すのに使用され、前記受信方式は、ユニキャスト方式および／またはマルチキャスト方式を含む、受信する段階と、
前記ユーザ機器が、前記指示情報により示される前記ユニキャスト方式および／または前記マルチキャスト方式で前記マルチキャストサービスデータを受信する段階と
を備える、方法。
【請求項１５】
前記方法はさらに、
前記ユーザ機器が、前記アクセスネットワークデバイスにより送信される構成情報を受信する段階であって、前記構成情報は、前記マルチキャストサービスデータを受信するのに使用される、受信する段階を備える、請求項１４に記載の方法。
【請求項１６】
前記構成情報は、
マルチキャストベアラの構成情報、前記マルチキャストベアラに対応するマルチキャストセッション情報、前記マルチキャストベアラの論理チャネル情報、マルチキャストスケジューリング識別子情報、前記マルチキャスト方式で前記マルチキャストサービスデータを送信するための伝送チャネルについての情報、前記ユニキャスト方式で前記マルチキャストサービスデータを送信するための伝送チャネルについての情報、マルチキャスト論理チャネル情報、前記マルチキャストサービスデータの前記伝送チャネルの測定構成情報、およびマルチキャストに関連付けられたユニキャスト構成情報の少なくとも１つを備える、請求項１５に記載の方法。
【請求項１７】
前記方法はさらに、
前記ユーザ機器が、前記アクセスネットワークデバイスにマルチキャストサービス情報を送信する段階であって、前記マルチキャストサービス情報は、前記マルチキャストサービスデータを受信するように前記ユーザ機器に命令するのに使用され、前記マルチキャストサービス情報は、前記ユーザ機器の識別子情報またはマルチキャストサービスの識別子情報を含む、送信する段階を備える、請求項１４に記載の方法。
【請求項１８】
前記ユーザ機器が、前記アクセスネットワークデバイスにマルチキャストサービス情報を送信する前記段階は、
前記ユーザ機器が、前記アクセスネットワークデバイスにマルチキャストメンバ変更情報を送信する段階を含む、請求項１７に記載の方法。
【請求項１９】
前記方法はさらに、
前記ユーザ機器が、前記マルチキャストサービスデータを受信するユーザ機器の数に基づいて、前記マルチキャストサービスデータを受信するための前記ユニキャスト方式および／または前記マルチキャスト方式を選択する段階、または、
前記ユーザ機器が、前記ユーザ機器のチャネル測定情報に基づいて、前記マルチキャストサービスデータを受信するための前記ユニキャスト方式および／または前記マルチキャスト方式を選択する段階を備える、請求項１４から１８のいずれか一項に記載の方法。
【請求項２０】
前記構成情報は、
第１マルチキャスト構成情報および第２マルチキャスト構成情報を含み、前記指示情報は、前記マルチキャストサービスデータの前記受信方式が前記マルチキャスト方式を含むことを示し、
前記指示情報は、前記第１マルチキャスト構成情報または前記第２マルチキャスト構成情報が、前記マルチキャストサービスデータを受信するのに使用されることを示す、請求項１５に記載の方法。
【請求項２１】
前記方法はさらに、
前記ユーザ機器が、前記ユニキャスト方式で前記マルチキャストサービスデータにおける少なくとも１つのデータパケットを送信するように前記アクセスネットワークデバイスに命令する段階を備える、請求項１４から２０のいずれか一項に記載の方法。
【請求項２２】
前記方法はさらに、
前記ユーザ機器が、前記アクセスネットワークデバイスに受信ステータス情報を送信する段階であって、前記受信ステータス情報は、前記マルチキャストサービスデータにおける前記データパケットの受信ステータスを示すのに使用される、送信する段階と、
前記ユーザ機器が、前記アクセスネットワークデバイスにより送信される前記マルチキャストサービスデータにおける受信に失敗したデータパケットを受信する段階と
を備える、請求項１４から２１のいずれか一項に記載の方法。
【請求項２３】
前記方法はさらに、
パケットデータコンバージェンスプロトコルＰＤＣＰ層においてパケット損失検出を実行し、前記受信ステータス情報を取得する段階を備える、請求項２２に記載の方法。
【請求項２４】
前記方法はさらに、
ユニキャスト無線リンク制御ＲＬＣエンティティにおける前記ユーザ機器が、受信された前記マルチキャストサービスデータを前記マルチキャストパケットデータコンバージェンスプロトコルＰＤＣＰ層に送信する段階を備える、請求項１４から２３のいずれか一項に記載の方法。
【請求項２５】
プロセッサ、メモリ、および送受信機を備えるアクセスネットワークデバイスであって、前記プロセッサ、前記メモリ、および前記送受信機は通信をサポートする方式で接続され、
前記メモリは、プログラムコードを記憶し、
前記プロセッサは、前記プログラムコードを読み出し、前記送受信機と協働して、請求項１から１３のいずれか一項に記載の方法を実装するように構成される、アクセスネットワークデバイス。
【請求項２６】
プロセッサ、メモリ、および送受信機を備えるユーザ機器であって、前記プロセッサ、前記メモリ、および前記送受信機は通信をサポートする方式で接続され、
前記メモリは、プログラムコードを記憶し、
前記プロセッサは、前記プログラムコードを読み出し、前記送受信機と協働して、請求項１４から２４のいずれか一項に記載の方法を実装するように構成される、ユーザ機器。
【請求項２７】
記憶媒体であって、
前記記憶媒体はプログラムコードを記憶し、前記プログラムコードはプログラム命令を含み、前記プログラム命令がプロセッサにより実行される場合、前記プロセッサは、送受信機と協働して、請求項１から２４のいずれか一項に記載の方法を実行することが可能になる、記憶媒体。
【発明の詳細な説明】
【技術分野】
【０００１】
本発明は、通信技術分野、特に、通信方法および関連製品に関連する。
【背景技術】
【０００２】
マルチキャストは、複数の受信端がマルチキャストグループを形成し、データソースがデータをマルチキャストグループ内の複数の受信端に伝達する方式である。移動体通信サービスの急速な発展につれ、多数のマルチメディアサービスが出現する。ビデオライブブロードキャスト、テレビブロードキャスト、ビデオ会議、オンライン教育、および対話型ゲームなどのいくつかの応用サービスの場合、複数の受信端は同じデータを同時に受信し得る。一般的なデータと比較すると、これらのモバイルマルチメディアサービスは、データ量が大きいこと、持続時間が長いこと、および遅延感度が特徴である。
【０００３】
モバイルネットワークリソースの最も有効に使用すべく、マルチメディアブロードキャスト／マルチキャストサービス（ｍｕｌｔｉｍｅｄｉａ  ｂｒｏａｄｃａｓｔ／ｍｕｌｔｉｃａｓｔ  ｓｅｒｖｉｃｅ，ＭＢＭＳ）が、第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ，３ＧＰＰ）Ｒｅｌ‐６に導入され、セルラーネットワークを使用することによりユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ，ＵＭＴＳ）のためのマルチキャストサービスを提供する。ＭＢＭＳの標準化は、常に発展中のプロセスである。
【０００４】
ＭＢＭＳが十分な領域をカバーできることと、マルチキャストグループにおける全てのユーザ機器（Ｕｓｅｒ  Ｅｑｕｉｐｍｅｎｔ，ＵＥ）がマルチキャストサービスデータを受信するのに成功できることを保証すべく、ＭＢＭＳシステムは、マルチキャストグループのうち最も低い信号品質を有するユーザ機器を基準として使用することにより、対応する変調およびコーディングスキームとマルチメディアリソースとを設定する。無線信号強度の減衰と距離とが指数関係を有するので、マルチキャストグループのうち比較的に劣悪な信号品質を有するユーザ機器のスペクトル効率は通常、平均スペクトル効率より５倍から数十倍少なく、非常に低い伝送効率をもたらす。
【発明の概要】
【０００５】
本発明の実施形態における解決対象の技術的問題は、マルチキャスト通信の低い伝送効率である。マルチキャスト通信の伝送効率を向上させるべく、通信方法および関連製品が提供される。
【０００６】
第１態様によると、本発明の実施形態は、
アクセスネットワークデバイスが、ユーザ機器に指示情報を送信する段階であって、ここで、指示情報は、マルチキャストサービスデータの受信方式を示すのに使用され、受信方式は、ユニキャスト方式および／またはマルチキャスト方式を含む、送信する段階と、
アクセスネットワークデバイスが、指示情報により示されるユニキャスト方式および／またはマルチキャスト方式でマルチキャストサービスデータを送信する段階とを含む、通信方法を提供する。
【０００７】
アクセスネットワークデバイスは、ユーザ機器にネットワークアクセス機能を提供する基地局または別のデバイスであり得る。ユニキャスト方式とマルチキャスト方式との各々は、データ伝送方式に対応する。例としてデータ送信を使用すると、ユニキャスト方式では、データの伝送端および受信端が１対１の対応関係にある。このように、受信端および伝送端は、それぞれのデータ伝送能力に基づいてよく合わせられ、再伝送が容易になり得る。マルチキャスト方式において、データの伝送端および受信端は、１対多の対応関係にある。このように、伝送端は、１つのエアインターフェースリソースで複数の受信端に同じデータを送信し、それによりエアインターフェースリソースを節約する。データ受信方式がデータ送信方式に対応することが理解され得る。例えば、伝送端がユニキャスト方式でデータを送信する場合、受信端はユニキャスト方式でデータを受信する。
【０００８】
指示情報は、明示的な指示情報、例えば専用フラグビットであり得る。代替的に、指示情報は黙示的な指示方式、例えば、対応する構成情報を送信することであり得る。より具体的には、例えば、マルチキャスト方式でサービスデータを受信するように命令することが必要であると仮定すると、マルチキャストサービスの構成情報のみが送信され得る。
【０００９】
加えて、ユーザ機器がユニキャスト方式および／またはマルチキャスト方式でマルチキャストサービスデータを受信する前に、無線ベアラが確立される必要があり、対応する構成情報は無線ベアラを確立するのに必要である。マルチキャストサービスデータを受信する２つの方式に対応する無線ベアラに使用される構成情報を区別すべく、マルチキャストサービスデータを受信するためのユニキャスト方式に対応する無線ベアラに使用される構成情報は、ユニキャスト構成情報と称され得、マルチキャストサービスデータを受信するためのマルチキャスト方式に対応する無線ベアラに使用される構成情報は、マルチキャスト構成情報と称され得る。
【００１０】
本発明のこの実施形態において、マルチキャストサービスデータの送信は、マルチキャストサービスデータを受信する全てのユーザ機器がマルチキャスト方式でマルチキャストサービスデータを受信することに限定されず、それにより伝送効率に影響を与えるユーザ機器の除外を容易にして、マルチキャストサービスの伝送効率を向上させる。
【００１１】
任意の実装において、アクセスネットワークデバイスが、マルチキャストサービスデータをどのように受信するかについての構成情報を提供するということがさらに提供される。方法はさらに、
アクセスネットワークデバイスが、ユーザ機器に構成情報を送信する段階であって、ここで、構成情報はマルチキャストサービスデータを受信するのに使用される、送信する段階を含む。
【００１２】
構成情報は、上に説明されている。構成情報は、マルチキャスト構成情報とユニキャスト構成情報とに分類され、マルチキャスト方式でマルチキャストサービスデータを伝送するのに適用可能な無線ベアラを確立することと、ユニキャスト方式でマルチキャストサービスデータを伝送するのに適用可能な無線ベアラを確立することとにそれぞれ使用され得る。本発明のこの実施形態において、構成情報および指示情報は、同じシグナリングを使用することにより送信され得る。構成情報が黙示的な指示情報として使用される場合、構成情報は、指示情報として使用され得る。
【００１３】
この実施形態において、構成情報はマルチキャストサービスデータを受信するのに使用される。マルチキャストサービスデータは、ユニキャスト方式および／またはマルチキャスト方式で受信され得るので、構成情報は、マルチキャスト構成情報とユニキャスト構成情報とを含むか、またはマルチキャストサービスデータの受信方式に対応する構成情報のみを含み得る。
【００１４】
任意の実装において、構成情報の具体的な内容がさらに提供される。構成情報は、マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【００１５】
構成情報は、無線ベアラを確立するのに主に使用される情報である。上述の情報は、可能な実装の例として使用され、本発明のこの実施形態に対する唯一な限定として理解されるべきではない。
【００１６】
任意の実装において、アクセスネットワークデバイスがマルチキャストサービス情報を取得する具体的な解決手段がさらに提供される。方法はさらに、
アクセスネットワークデバイスが、ユーザ機器またはコアネットワークデバイスにより送信されるマルチキャストサービス情報を受信する段階であって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、受信する段階を含む。
【００１７】
アクセスネットワークデバイスは、マルチキャストサービスデータを受信するためにユーザ機器により使用される方式を示す必要があり、これによりアクセスネットワークデバイスは、マルチキャストサービスデータの受信に関与するユーザ機器およびユーザ機器の変更ステータスを把握する必要がある。従って、この解決手段がこの実施形態において提供される。上述のマルチキャストサービス情報は、マルチキャストセッションが確立された後に送信されてもよく、またはユーザ機器のマルチキャストグループへの加入またはマルチキャストグループからの脱退の後にコアネットワークデバイスにより送信される更新情報であってもよい。ユーザ機器は、任意の時間、例えば、ユーザ機器がマルチキャストセッションへの加入に成功したと決定された後、または、マルチキャストサービスの受信方式を切り換えた後にマルチキャストサービス情報を報告してもよい。
【００１８】
任意の実装において、アクセスネットワークデバイスがマルチキャストサービス情報を取得する任意の実装がさらに提供される。アクセスネットワークデバイスが、ユーザ機器またはコアネットワークデバイスにより送信されるマルチキャストサービス情報を受信する段階は、
アクセスネットワークデバイスが、コアネットワークデバイスにより送信されるマルチキャストセッション確立要求を受信する段階であって、ここで、マルチキャストセッション確立要求は、ユーザ機器の識別子情報およびマルチキャストサービスの識別子情報を含む、受信する段階、または
アクセスネットワークデバイスが、コアネットワークデバイスまたはユーザ機器により送信されるマルチキャストメンバ変更情報を受信する段階
を含む。
【００１９】
この実施形態は、ユーザ機器からマルチキャストサービス情報を取得することと、コアネットワークデバイスからマルチキャストサービス情報を取得することとの具体的な実装上の解決手段を提供する。マルチキャストセッション確立要求は、マルチキャストセッションの確立を要求するために、ユーザ機器により使用される要求である。アクセスネットワークデバイスは、シグナリングを増加させることなく、要求を使用することによりマルチキャストサービス情報を取得し得る。加えて、アクセスネットワークデバイスは、別の場合においてマルチキャストサービス情報を取得し得る。これは上に説明されており、本明細書で改めて説明しない。
【００２０】
マルチキャストメンバ変更情報は、マルチキャストグループにおけるユーザ機器が変更する場合に送信される情報である。情報は、マルチキャストサービスの識別子情報、およびマルチキャストグループにおける全てのユーザ機器の識別子を含み得る。代替的に、変更された情報（例えば、ユーザ機器の識別子および変更識別子）のみが送信され得、変更識別子は、ユーザ機器がマルチキャストグループに新たに加入するか、またはマルチキャストグループから脱退するかを示すのに使用される。
【００２１】
任意の実装において、アクセスネットワークデバイスがマルチキャストサービスデータを取得する実装がさらに提供される。方法はさらに、
マルチキャストサービスデータを受信するユーザ機器の数に基づいて、アクセスネットワークデバイスが、ユニキャスト方式および／またはマルチキャスト方式でマルチキャストサービスデータを受信するようにユーザ機器に命令する段階、または、
アクセスネットワークデバイスが、ユーザ機器により送信されるチャネル測定情報を受信し、チャネル測定情報に基づいて、ユニキャスト方式および／またはマルチキャスト方式でマルチキャストサービスデータを受信するようにユーザ機器に命令する段階
を含む。
【００２２】
この実施形態において、マルチキャストサービスデータの前者の受信方式は、マルチキャストサービスデータを受信するユーザ機器の数に関連し、アクセスネットワークデバイスは、比較基準として閾値を使用し得る。具体的に、マルチキャストサービスデータを受信するユーザ機器の数が閾値より多い場合、マルチキャスト方式が使用され、または、マルチキャストサービスデータを受信するユーザ機器の数が閾値より少ない場合、ユニキャスト方式が使用される。この実施形態において、マルチキャスト方式が使用される場合、マルチキャストサービスデータを受信するユーザ機器が多いほど、より多いエアインターフェースリソースが節約されると主にみなされる。閾値は、アクセスネットワークデバイスに構成されてもよく、または、コアネットワークデバイスまたはアクセスネットワークデバイスを管理する別のデバイスにより指定されてもよい。これが本発明のこの実施形態において一意に限定されることはない。
【００２３】
マルチキャストサービスデータの後者の受信方式は、ユーザ機器のチャネル品質に関連し、具体的な関連内容は、以下のいくつかの種類を主に含み得る。
【００２４】
Ａ．チャネル品質の絶対値が使用される。具体的には、チャネル品質が特定の閾値より低い場合、ユニキャスト方式が使用され、そうでない場合、マルチキャスト方式が使用される。この実施形態において、チャネル品質が劣悪であるほど、マルチキャストサービスの全体的な伝送効率が低減する可能性がより高いと主にみなされる。従って、マルチキャストサービスデータをユーザ機器に送信するのにユニキャスト方式を使用するとみなされ得る。
【００２５】
Ｂ．チャネル品質の相対値が使用される。例えば、マルチキャストグループにおいて、ユーザ機器のチャネル品質間の差異が比較的に大きい場合、比較的に劣悪なチャネル品質を有するユーザ機器は、マルチキャストサービスの伝送効率を低減させる。従って、比較的に劣悪なチャネル品質を有するユーザ機器は、マルチキャストグループから除去され得る。比較的に劣悪なチャネル品質を有するユーザ機器が比較的に多数存在する場合、ユーザ機器は、別のマルチキャストグループをさらに形成し得る。
【００２６】
Ｃ．チャネル品質に影響を与えるパラメータに基づいて、グループ化が実行される。例えば、いくつかのパラメータ（例えば、ユーザ機器の分布、ユーザ機器の移動速度、およびユーザ機器の移動方向）は、チャネル品質に影響を与える。これに基づいて、ユーザ機器はグループ化され得る。グループにおけるユーザ機器の数が十分な場合、ユーザ機器はマルチキャストグループを形成する。そうでない場合、マルチキャストサービスデータがユニキャスト方式で受信される。
【００２７】
この実施形態において、チャネル測定情報は、チャネル測定フィードバック情報であってもよく、または、チャネル品質を反映できる任意の他の情報であってもよい。ユーザ機器は、チャネル測定情報を定期的にフィードバックしてもよく、または、特定の条件が満たされる場合にチャネル測定情報をフィードバックしてもよい。特定の条件は、チャネル品質またはチャネル品質に影響を与えるパラメータの変更されることであってもよく、または、受信方式を切り換える必要がある条件が満たされることであってもよい。本発明のこの実施形態において、チャネル測定情報をアクセスネットワークデバイスに送信することをいつ、どのようにトリガするかは、限定されない。
【００２８】
任意の実装において、マルチキャストグループがさらに分割される実装上の解決手段がさらに提供される。構成情報は、第１マルチキャスト構成情報および第２マルチキャスト構成情報を含み、
指示情報は、マルチキャストサービスデータの受信方式がマルチキャスト方式を含むことを示し、指示情報は、第１マルチキャスト構成情報または第２マルチキャスト構成情報が、マルチキャストサービスデータを受信するのに使用されることを示す。
【００２９】
この実施形態において、マルチキャスト構成情報は、少なくとも２つのマルチキャスト構成情報を含む。このように、マルチキャストサービスデータを受信するユーザ機器は、２つのサブマルチキャストグループに分割されてよい。２つのサブマルチキャストグループは異なるマルチキャスト構成情報を使用するので、異なる無線ベアラが確立され、異なるサブマルチキャストグループの伝送効率が最大化され得る。
【００３０】
任意の実装において、マルチキャストグループがさらに分割される実装上の解決手段がさらに提供される。受信方式がマルチキャスト方式を含む場合、指示情報はさらに、マルチキャストサービスデータが第１マルチキャスト方式または第２マルチキャスト方式で受信されたことを示す段階を含む。
【００３１】
この実施形態と前の実施形態との間の差異は、アクセスネットワークデバイスが１つのマルチキャスト構成情報のみをユーザ機器に送信し得るという点である。指示情報については、指示情報が黙示的であっても明示的であってもよい上述の説明を参照されたい。詳細については、本明細書で改めて説明しない。
【００３２】
任意の実装において、マルチキャストサービスデータの伝送を加速させる解決手段がさらに提供される。方法はさらに、
アクセスネットワークデバイスが、ユーザ機器の命令に従って、ユニキャスト方式でマルチキャストサービスデータにおける少なくとも１つのデータパケットを送信する段階、または、アクセスネットワークデバイスが、コアネットワークデバイスの指示に従って、ユニキャスト方式でマルチキャストサービスデータにおける少なくとも１つのデータパケットを送信する段階、または、
アクセスネットワークデバイスが、少なくとも１つのデータパケットの種類情報に基づいて、ユニキャスト方式でマルチキャストサービスデータにおける少なくとも１つのデータパケットを送信する段階
を含む。
【００３３】
この実施形態において、第１実装では、ユーザ機器は、マルチキャストサービスデータはユニキャスト方式で送信される必要があると指定する。第２実装では、コアネットワークデバイスは、マルチキャストサービスデータはユニキャスト方式で送信される必要があると指定する。第３実装では、アクセスネットワークデバイスは、マルチキャストサービスデータはユニキャスト方式で送信される必要があると決定する。指定方式は、マルチキャストサービスデータにおけるデータパケットに対応する識別子情報を追加し得、識別子情報は、データパケットはユニキャスト方式で送信される必要があると指定し得る。代替的に、指定方式は、特定の種類のマルチキャストサービスデータのデータパケットがユニキャスト方式で送信される必要があると指定し得る。例えば、マルチキャスト方式で送信された最新のＩフレームとマルチキャスト方式で送信されているデータフレームとの間のデータが、ユニキャスト方式で送信される必要があると指定される。代替的に、マルチキャストサービスデータの単一のデータパケットが、ユニキャスト方式で送信される必要があると指定される。上述の２つの例において、前者の例におけるデータは、マルチキャストサービスに対応するサービスを開始するために必要なデータによるものであり得、これによりユーザ機器は、マルチキャストサービスに対応するサービスを可能な限り速やかに開始（例えば、ビデオ再生を開始）できる。後者の例は、データ再伝送、および重要なデータのタイムリーな伝送などの様々な応用シナリオに対応し得る。
【００３４】
任意の実装において、マルチキャストサービスデータがマルチキャスト方式および／またはユニキャスト方式でプロトコル層において送信される実装上の解決手段がさらに提供される。少なくとも１つのデータパケットは、マルチキャスト方式で送信され、アクセスネットワークデバイスにおいてバッファリングされるマルチキャストサービスデータであるか、または、マルチキャスト方式で送信され、マルチキャストサービスデータソースから受信されるマルチキャストサービスデータである。
【００３５】
この実施形態において、ユニキャスト方式で送信されるマルチキャストサービスデータは、再伝送され得る。従って、データのセグメントがまずバッファリングされ得、再伝送要求フィードバックが存在するかどうかを待つ。再伝送要求フィードバックが存在しない場合、データは削除され得る。従って、本明細書のバッファリングされたマルチキャストサービスデータは、期間内のマルチキャストサービスデータであり得、ずっと前に送信されたマルチキャストサービスデータは削除され得る。
【００３６】
ユニキャスト方式で送信されるマルチキャストサービスデータが完全に送信された後、マルチキャスト方式は、サービスデータを送信するために切り換えられ得、または、ユニキャスト無線ベアラは、ユニキャスト方式で送信される必要がある新たなマルチキャストサービスデータを待つことを継続し得、または、通知情報は、受信機に送信され、ユニキャスト方式で送信されるマルチキャストサービスデータが完全に送信されたことを通知し得る。具体的な通知方式は、明示的な通知方式であり得る。例えば、終了指示が最後のデータパケットに追加される。代替的に、具体的な通知方式は、黙示的な通知方式であり得る。例えば、マルチキャスト構成情報が送信される。ユニキャスト方式で送信されるマルチキャストサービスデータが完全に送信された後に実行される内容は、本発明のこの実施形態において一意に説明されていない。
【００３７】
任意の実装において、マルチキャストサービスの再伝送方法がさらに提供される。方法はさらに、
アクセスネットワークデバイスが、ユーザ機器により送信される受信ステータス情報を受信する段階であって、ここで、受信ステータス情報は、マルチキャストサービスデータにおけるデータパケットの受信ステータスを示すのに使用される、受信する段階と、
アクセスネットワークデバイスが、受信ステータス情報に基づいて、ユニキャスト方式で、マルチキャストサービスデータにおける受信に失敗したデータパケットをユーザ機器に送信する段階と
を含む。
【００３８】
この実施形態において、受信ステータス情報は、データパケットの受信ステータスを示すのに使用される情報であって、アクセスネットワークデバイスは、ユーザ機器に再伝送される必要があるデータパケットを把握することが可能になる。従って、受信ステータス情報は様々な表示形式を有する。例えば、１．再伝送される必要があるデータパケットのシーケンス番号が、直接通知される。２．フィードバック情報が送信され、ここで、フィードバック情報は、全てのデータパケットが受信されたかどうかについての情報を含む。上述の２つの可能な例は、本発明のこの実施形態に対して一意性を限定するものとして理解されるべきではない。再伝送される必要があるデータパケットをアクセスネットワークデバイスに通知するのに使用される具体的な方式は、本発明のこの実施形態において一意に限定されていない。
【００３９】
任意の実装において、プロトコル層がユニキャスト方式でのマルチキャストサービスデータの送信をサポートする解決手段がさらに提供される。方法はさらに、
アクセスネットワークデバイスが、パケットデータコンバージェンスプロトコル（ｐａｃｋｅｔ  ｄａｔａ  ｃｏｎｖｅｒｇｅｎｃｅ  ｐｒｏｔｏｃｏｌ，ＰＤＣＰ）層を使用することにより、ユニキャスト無線リンク制御（ｒａｄｉｏ  ｌｉｎｋ  ｃｏｎｔｒｏｌ，ＲＬＣ）エンティティに送信対象のマルチキャストサービスデータを送信する段階と、
ユニキャスト方式で送信対象のマルチキャストサービスデータを送信する段階と
を含む。
【００４０】
マルチキャスト方式でマルチキャストサービスデータを送信する解決手段は、本発明のこの実施形態において限定されない。この実施形態において、マルチキャストサービスデータは、ＰＤＣＰ層においてユニキャストＲＬＣに割り当てられ、これによりマルチキャストサービスデータはユニキャスト方式で送信される。
【００４１】
任意の実装において、再伝送を容易にする実装上の解決手段がさらに提供される。方法はさらに、
アクセスネットワークデバイスが、パケットデータコンバージェンスプロトコルＰＤＣＰ層において送信対象のマルチキャストサービスデータを複製する段階と、送信対象のマルチキャストサービスデータを記憶する段階とを含む。
【００４２】
本発明のこの実施形態において、送信対象のマルチキャストサービスデータは、可能な再伝送要求に応答するためにバッファに記憶され得る。ストレージ領域は、ＰＤＣＰで設定されてもよく、またはＲＬＣで設定されてもよい。これが本発明のこの実施形態において限定されることはない。
【００４３】
任意の実装において、プロトコル層がユニキャスト方式でのマルチキャストサービスデータの送信をサポートする解決手段がさらに提供される。方法はさらに、
アクセスネットワークデバイスが、マルチキャストパケットデータコンバージェンスプロトコルＰＤＣＰ層を使用することにより、マルチキャスト無線リンク制御ＲＬＣエンティティに送信対象のマルチキャストサービスデータを送信する段階と、
マルチキャスト無線リンク制御ＲＬＣエンティティが、ユニキャスト媒体アクセス制御（ｍｅｄｉｕｍ  ａｃｃｅｓｓ  ｃｏｎｔｒｏｌ，ＭＡＣ）エンティティに送信対象のマルチキャストサービスデータを送信する段階と、
ユニキャスト媒体アクセス制御ＭＡＣエンティティが、ユニキャスト方式で送信対象のマルチキャストサービスデータを送信する段階と
を含む。
【００４４】
この実施形態において、ＲＬＣエンティティは、ユニキャストＭＡＣエンティティにマルチキャストサービスデータを割り当て、これによりマルチキャストサービスデータはユニキャスト方式で送信される。
【００４５】
第２態様によると、本発明の実施形態はさらに、通信方法を提供する。この実施形態は、上述のアクセスネットワークデバイスにより送信されるデータを受信する側（例えば、ユーザ機器）で実装され、アクセスネットワークデバイスの側で実装される上述の解決手段と対応関係にある。具体的な内容については、上述の説明を参照されたい。繰り返される部分は、後続の実施形態で改めて説明しない。通信方法は、
ユーザ機器が、アクセスネットワークデバイスにより送信される指示情報を受信する段階であって、ここで、指示情報は、マルチキャストサービスデータの受信方式を示すのに使用され、受信方式は、ユニキャスト方式および／またはマルチキャスト方式を含む、受信する段階と、
ユーザ機器が、指示情報により示されるユニキャスト方式および／またはマルチキャスト方式でマルチキャストサービスデータを受信する段階と
を含む。
【００４６】
任意の実装において、方法はさらに、
ユーザ機器が、アクセスネットワークデバイスにより送信される構成情報を受信する段階であって、ここで、構成情報は、マルチキャストサービスデータを受信するのに使用される、受信する段階を含む。
【００４７】
任意の実装において、構成情報は、
マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【００４８】
任意の実装において、方法はさらに、
ユーザ機器が、アクセスネットワークデバイスにマルチキャストサービス情報を送信する段階であって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、送信する段階を含む。
【００４９】
任意の実装において、ユーザ機器が、アクセスネットワークデバイスにマルチキャストサービス情報を送信する段階は、
ユーザ機器が、アクセスネットワークデバイスにマルチキャストメンバ変更情報を送信する段階を含む。
【００５０】
任意の実装において、方法はさらに、
ユーザ機器が、マルチキャストサービスデータを受信するユーザ機器の数に基づいて、マルチキャストサービスデータを受信するためのユニキャスト方式および／またはマルチキャスト方式を選択する段階、または、
ユーザ機器が、ユーザ機器のチャネル測定情報に基づいて、マルチキャストサービスデータを受信するためのユニキャスト方式および／またはマルチキャスト方式を選択する段階を含む。
【００５１】
任意の実装において、構成情報は、第１マルチキャスト構成情報および第２マルチキャスト構成情報を含み、
指示情報は、マルチキャストサービスデータの受信方式がマルチキャスト方式を含むことを示し、指示情報は、第１マルチキャスト構成情報または第２マルチキャスト構成情報が、マルチキャストサービスデータを受信するのに使用されることを示す。
【００５２】
任意の実装において、方法はさらに、
ユーザ機器が、ユニキャスト方式でマルチキャストサービスデータにおける少なくとも１つのデータパケットを送信するようにアクセスネットワークデバイスに命令する段階を含む。
【００５３】
任意の実装において、方法はさらに、
ユーザ機器が、アクセスネットワークデバイスに受信ステータス情報を送信する段階であって、ここで、受信ステータス情報は、マルチキャストサービスデータにおけるデータパケットの受信ステータスを示すのに使用される、送信する段階と、
ユーザ機器が、アクセスネットワークデバイスにより送信されるマルチキャストサービスデータにおける受信に失敗したデータパケットを受信する段階と
を含む。
【００５４】
任意の実装において、方法はさらに、
パケットデータコンバージェンスプロトコルＰＤＣＰ層においてパケット損失検出を実行し、受信ステータス情報を取得する段階を含む。
【００５５】
任意の実装において、方法はさらに、
ユニキャスト無線リンク制御ＲＬＣエンティティにおけるユーザ機器が、受信されたマルチキャストサービスデータをマルチキャストパケットデータコンバージェンスプロトコルＰＤＣＰ層に送信する段階を含む。
【００５６】
第３態様によると、本発明の実施形態はさらに、
ユーザ機器に指示情報を送信するように構成される指示送信ユニットであって、ここで、指示情報は、マルチキャストサービスデータの受信方式を示すのに使用され、受信方式は、ユニキャスト方式および／またはマルチキャスト方式を含む、指示送信ユニットと、指示情報により示されるユニキャスト方式および／またはマルチキャスト方式でマルチキャストサービスデータを送信するように構成されるデータ送信ユニットとを含む、アクセスネットワークデバイスを提供する。
【００５７】
任意の実装において、アクセスネットワークデバイスはさらに、
ユーザ機器に構成情報を送信するように構成される構成送信ユニットであって、ここで、構成情報は、マルチキャストサービスデータを受信するのに使用される、構成送信ユニットを含む。
【００５８】
任意の実装において、構成情報は、
マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【００５９】
任意の実装において、アクセスネットワークデバイスはさらに、
ユーザ機器またはコアネットワークデバイスにより送信されるマルチキャストサービス情報を受信するように構成される情報受信ユニットであって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、情報受信ユニットを含む。
【００６０】
任意の実装において、情報受信ユニットが、ユーザ機器またはコアネットワークデバイスにより送信されるマルチキャストサービス情報を受信するように構成されることは、
コアネットワークデバイスにより送信されるマルチキャストセッション確立要求を受信する段階であって、ここで、マルチキャストセッション確立要求は、ユーザ機器の識別子情報およびマルチキャストサービスの識別子情報を含む、受信する段階と、または、
コアネットワークデバイスまたはユーザ機器により送信されるマルチキャストメンバ変更情報を受信する段階を含む。
【００６１】
任意の実装において、アクセスネットワークデバイスはさらに、
マルチキャストサービスデータを受信するユーザ機器の数に基づいて、ユニキャスト方式および／またはマルチキャスト方式でマルチキャストサービスデータを受信するようにユーザ機器に命令すること、または、
ユーザ機器により送信されるチャネル測定情報を受信し、チャネル測定情報に基づいて、ユニキャスト方式および／またはマルチキャスト方式でマルチキャストサービスデータを受信するようにユーザ機器に命令することを行うように構成される、方式決定ユニットを含む。
【００６２】
任意の実装において、構成情報は、第１マルチキャスト構成情報および第２マルチキャスト構成情報を含み、指示情報は、マルチキャストサービスデータの受信方式がマルチキャスト方式を含むことを示し、
指示情報は、第１マルチキャスト構成情報または第２マルチキャスト構成情報が、マルチキャストサービスデータを受信するのに使用されることを示す。
【００６３】
任意の実装において、
データ送信ユニットはさらに、ユーザ機器の命令に従って、ユニキャスト方式でマルチキャストサービスデータにおける少なくとも１つのデータパケットを送信すること、もしくは、コアネットワークデバイスの指示に従って、ユニキャスト方式でマルチキャストサービスデータにおける少なくとも１つのデータパケットを送信すること、または、
少なくとも１つのデータパケットの種類情報に基づいて、ユニキャスト方式でマルチキャストサービスデータにおける少なくとも１つのデータパケットを送信することを行うように構成される。
【００６４】
任意の実装において、少なくとも１つのデータパケットは、マルチキャスト方式で送信され、アクセスネットワークデバイスにおいてバッファリングされるマルチキャストサービスデータであるか、または、マルチキャスト方式で送信され、マルチキャストサービスデータソースから受信されるマルチキャストサービスデータである。
【００６５】
任意の実装において、アクセスネットワークデバイスはさらに、
ユーザ機器により送信される受信ステータス情報を受信するように構成されるステータス受信ユニットであって、ここで、受信ステータス情報は、マルチキャストサービスデータにおけるデータパケットの受信ステータスを示すのに使用される、ステータス受信ユニットを含み、
ここで、データ送信ユニットはさらに、受信ステータス情報に基づいて、ユニキャスト方式でユーザ機器にマルチキャストサービスデータにおける受信に失敗したデータパケットを送信するように構成される。
【００６６】
任意の実装において、データ送信ユニットは、パケットデータコンバージェンスプロトコルＰＤＣＰ層を使用することにより、ユニキャスト無線リンク制御ＲＬＣエンティティに送信対象のマルチキャストサービスデータを送信することと、ユニキャスト方式で送信対象のマルチキャストサービスデータを送信することとを行うように構成される。
【００６７】
任意の実装において、データ送信ユニットはさらに、パケットデータコンバージェンスプロトコルＰＤＣＰ層において送信対象のマルチキャストサービスデータを複製することと、送信対象のマルチキャストサービスデータを記憶することとを行うように構成される。
【００６８】
任意の実装において、データ送信ユニットは、マルチキャストパケットデータコンバージェンスプロトコルＰＤＣＰ層を使用することにより、マルチキャスト無線リンク制御ＲＬＣエンティティに送信対象のマルチキャストサービスデータを送信することを行うように構成され、ここで、マルチキャスト無線リンク制御ＲＬＣエンティティは、ユニキャスト媒体アクセス制御ＭＡＣエンティティに送信対象のマルチキャストサービスデータを送信し、ユニキャスト媒体アクセス制御ＭＡＣエンティティは、ユニキャスト方式で送信対象のマルチキャストサービスデータを送信する。
【００６９】
第４態様によると、本発明の実施形態はさらに、
アクセスネットワークデバイスにより送信される指示情報を受信するように構成される指示受信ユニットであって、ここで、指示情報は、マルチキャストサービスデータの受信方式を示すのに使用され、受信方式は、ユニキャスト方式および／またはマルチキャスト方式を含む、指示受信ユニットと、
指示情報により示されるユニキャスト方式および／またはマルチキャスト方式でマルチキャストサービスデータを受信するように構成されるデータ受信ユニットと
を含む、ユーザ機器を提供する。
【００７０】
任意の実装において、ユーザ機器はさらに、
アクセスネットワークデバイスにより送信される構成情報を受信するように構成される構成受信ユニットであって、ここで、構成情報は、マルチキャストサービスデータを受信するのに使用される、構成受信ユニットを含む。
【００７１】
任意の実装において、構成情報は、
マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【００７２】
任意の実装において、ユーザ機器はさらに、
アクセスネットワークデバイスにマルチキャストサービス情報を送信するように構成される情報送信ユニットであって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、情報送信ユニットを含む。
【００７３】
任意の実装において、情報送信ユニットが、アクセスネットワークデバイスにマルチキャストサービス情報を送信するように構成されることは、アクセスネットワークデバイスにマルチキャストメンバ変更情報を送信することを含む。
【００７４】
任意の実装において、
データ受信ユニットは、
マルチキャストサービスデータを受信するユーザ機器の数に基づいて、マルチキャストサービスデータを受信するためのユニキャスト方式および／またはマルチキャスト方式を選択すること、または、
ユーザ機器のチャネル測定情報に基づいて、マルチキャストサービスデータを受信するためのユニキャスト方式および／またはマルチキャスト方式を選択することを行うように構成される。
【００７５】
任意の実装において、構成情報は、第１マルチキャスト構成情報および第２マルチキャスト構成情報を含み、
指示情報は、マルチキャストサービスデータの受信方式がマルチキャスト方式を含むことを示し、指示情報は、第１マルチキャスト構成情報または第２マルチキャスト構成情報が、マルチキャストサービスデータを受信するのに使用されることを示す。
【００７６】
任意の実装において、ユーザ機器はさらに、
ユニキャスト方式でマルチキャストサービスデータにおける少なくとも１つのデータパケットを送信するようにアクセスネットワークデバイスに命令するように構成される指示送信ユニットを含む。
【００７７】
任意の実装において、ユーザ機器はさらに、
アクセスネットワークデバイスに受信ステータス情報を送信するように構成されるステータス送信ユニットであって、ここで、受信ステータス情報は、マルチキャストサービスデータにおけるデータパケットの受信ステータスを示すのに使用される、ステータス送信ユニットを含み、
ここで、データ受信ユニットは、アクセスネットワークデバイスにより送信されるマルチキャストサービスデータにおける受信に失敗したデータパケットを受信するように構成される。
【００７８】
任意の実装において、ステータス送信ユニットはさらに、パケットデータコンバージェンスプロトコルＰＤＣＰ層においてパケット損失検出を実行し、受信ステータス情報を取得するように構成される。
【００７９】
任意の実装において、
データ受信ユニットはさらに、ユニキャスト無線リンク制御ＲＬＣエンティティにおいて、受信されたマルチキャストサービスデータをマルチキャストパケットデータコンバージェンスプロトコルＰＤＣＰ層に送信するように構成される。
【００８０】
第５態様によると、本発明の実施形態はさらに、
プロセッサ、メモリ、および送受信機を含むアクセスネットワークデバイスであって、ここで、プロセッサ、メモリ、および送受信機は、通信をサポートする方式で接続されており、
ここで、メモリはプログラムコードを記憶し、プロセッサは、プログラムコードを読み出し、送受信機を協働して、本発明の実施形態のいずれか１つによる、アクセスネットワークデバイスにより実行される方法を実装するように構成される、アクセスネットワークデバイスを提供する。
【００８１】
第６態様によると、本発明の実施形態はさらに、
プロセッサ、メモリ、および送受信機を含むユーザ機器であって、ここで、プロセッサ、メモリ、および送受信機は、通信をサポートする方式で接続されており、
ここで、メモリはプログラムコードを記憶し、プロセッサは、プログラムコードを読み出し、送受信機を協働して、本発明の実施形態のいずれか１つによる、ユーザ機器により実行される方法を実装するように構成される、ユーザ機器を提供する。
【００８２】
第７態様によると、本発明の実施形態はさらに記憶媒体を提供し、ここで、記憶媒体はプログラムコードを記憶し、プログラムコードはプログラム命令を含み、プログラム命令がプロセッサにより実行される場合、プロセッサは、送受信機と協働して、本発明の実施形態のいずれか１つに係る方法を実行することが可能になる。
【００８３】
第８態様によると、本発明の実施形態はさらにコンピュータプログラム製品を提供し、ここで、コンピュータプログラム製品はプログラムコードを記憶し、プログラムコードはプログラム命令を含み、プログラムコードがプロセッサにより実行される場合、プロセッサは、送受信機と協働して、本発明の実施形態のいずれか１つに係る方法を実行することが可能になる。
【図面の簡単な説明】
【００８４】
本発明の実施形態または背景技術における技術的解決手段をより明確に説明すべく、以下に、本発明の実施形態または背景技術を説明するために必要な添付図面について簡潔に説明する。
【図１Ａ】本発明の一実施形態に係るシステムアーキテクチャの概略図である。
【図１Ｂ】本発明の一実施形態に係るシステムアーキテクチャの概略図である。
【図１Ｃ】本発明の一実施形態に係るシステムアーキテクチャの概略図である。
【図２】本発明の一実施形態に係るシステムアーキテクチャの概略図である。
【図３】本発明の一実施形態に係る方法の概略フローチャートである。
【図４Ａ】本発明の一実施形態に係る方法の概略フローチャートである。
【図４Ｂ】本発明の一実施形態に係る方法の概略フローチャートである。
【図４Ｃ】本発明の一実施形態に係る方法の概略フローチャートである。
【図５】本発明の一実施形態に係るユーザ機器の分布の概略図である。
【図６】本発明の一実施形態に係る方法の概略フローチャートである。
【図７】本発明の一実施形態に係るユーザ機器の分布の概略図である。
【図８】本発明の一実施形態に係る方法の概略フローチャートである。
【図９】本発明の一実施形態に係る方法の概略フローチャートである。
【図１０】本発明の一実施形態に係るユーザ機器の分布の概略図である。
【図１１】本発明の一実施形態に係るユーザ機器のチャネル品質における変更の概略図である。
【図１２】本発明の一実施形態に係る方法の概略フローチャートである。
【図１３】本発明の一実施形態に係る、ユニキャスト方式とマルチキャスト方式とが協働する概略図である。
【図１４】本発明の一実施形態に係る方法の概略フローチャートである。
【図１５】本発明の一実施形態に係るユーザ機器のチャネル品質における変更の概略図である。
【図１６】本発明の一実施形態に係る、ユニキャスト方式とマルチキャスト方式とが協働するシステムの概略図である。
【図１７】本発明の一実施形態に係るプロトコルスタックの概略構造図である。
【図１８Ａ】本発明の一実施形態に係るプロトコルスタックの概略構造図である。
【図１８Ｂ】本発明の一実施形態に係るプロトコルスタックの概略構造図である。
【図１９】本発明の一実施形態に係るプロトコルスタックの概略構造図である。
【図２０】本発明の一実施形態に係るアクセスネットワークデバイスの概略構造図である。
【図２１】本発明の一実施形態に係るユーザ機器の概略構造図である。
【図２２】本発明の一実施形態に係るデバイスの概略構造図である。
【図２３】本発明の一実施形態に係るユーザ機器の概略構造図である。
【発明を実施するための形態】
【００８５】
以下に、本発明の実施形態の添付図面を参照して、本発明の実施形態について説明する。
【００８６】
図１Ａから図１Ｃの各々は、本発明の一実施形態に係る通信システムの概略構造図である。
【００８７】
図１Ａにおける通信システムは、ユーザ機器、アクセスネットワークデバイス、ゲートウェイデバイス、管理デバイス、ルータ、およびサーバなどを含む。管理デバイスおよびゲートウェイデバイスは、コアネットワークデバイスとして分類され得、ルータおよびサーバは、データネットワーク（ｄａｔａ  ｎｅｔｗｏｒｋ，ＤＮ）に属し得る。
【００８８】
図１Ａにおいて、ユーザ機器は、無線エアインタフェースを使用することによりオペレータにより配置されるアクセスネットワークデバイスに接続され、そしてデータネットワークに接続され得る。アクセスネットワークデバイスは主に、無線物理層機能、リソーススケジューリングおよび無線リソース管理、無線アクセス制御、およびモビリティ管理などの機能を実装するように構成される。コアネットワークデバイスに含まれる管理デバイスは主に、ユーザ機器のデバイス登録、セキュリティ認証、モビリティ管理、位置管理などに使用される。コアネットワークデバイスにおけるゲートウェイデバイスは主に、ユーザ機器にチャネルを確立することと、ユーザ機器とチャネルの外部データネットワークとの間でデータパケットを転送することとを行うように構成される。データネットワークは主に、ユーザ機器に複数のデータサービスを提供するように構成される。データネットワークに含まれるサーバは、高速チャネル変更（Ｆａｓｔ  Ｃｈａｎｎｅｌ  Ｃｈａｎｇｅ，ＦＣＣ）サーバであってよい。図１Ａは、アーキテクチャ図の例に過ぎない。図１Ａに示される機能ユニットに加えて、ネットワークアーキテクチャはさらに、別の機能ユニットを含んでよい。これが本発明のこの実施形態において限定されることはない。図１Ｂおよび図１Ｃは、図１Ａの例である。
【００８９】
図１Ｂに示される通信システムにおいて、図１Ａに示される通信ネットワークは５Ｇネットワークである場合、ユーザ機器は、携帯電話もしくはコンピュータであってもよく、または、セルラーフォン、コードレス電話、セッション確立プロトコル（ｓｅｓｓｉｏｎ  ｉｎｉｔｉａｔｉｏｎ  ｐｒｏｔｏｃｏｌ，ＳＩＰ）電話、スマートフォン、無線ローカルループ（ｗｉｒｅｌｅｓｓ  ｌｏｃａｌ  ｌｏｏｐ，ＷＬＬ）局、パーソナルデジタルアシスタント（ｐｅｒｓｏｎａｌ  ｄｉｇｉｔａｌ  ａｓｓｉｓｔａｎｔ，ＰＤＡ）、コンピュータ、ラップトップコンピュータ、ハンドヘルド通信デバイス、ハンドヘルドコンピューティングデバイス、衛星無線デバイス、無線モデムカード、セットトップボックス（ｓｅｔ  ｔｏｐ  ｂｏｘ，ＳＴＢ）、顧客前提機器（ｃｕｓｔｏｍｅｒ  ｐｒｅｍｉｓｅ  ｅｑｕｉｐｍｅｎｔ，ＣＰＥ）、および／または無線システムにおいて通信のために使用される別のデバイスであってもよい。アクセスネットワークデバイスは、アクセスネットワーク（ａｃｃｅｓｓ  ｎｅｔｗｏｒｋ，ＡＮ）／無線アクセスネットワーク（ｒａｄｉｏ  ａｃｃｅｓｓ  ｎｅｔｗｏｒｋ，ＲＡＮ）デバイスであってよく、アクセスネットワークまたは無線アクセスネットワークは、複数の５Ｇ‐ＡＮ／５Ｇ‐ＲＡＮノードを含むネットワークである。５Ｇ‐ＡＮ／５Ｇ‐ＲＡＮノードは、アクセスポイント（アクセスポイント，ＡＰ）、次世代ノードＢ（ＮＲ  ｎｏｄｅＢ，ｇＮＢ）、伝送受信ポイント（ｔｒａｎｓｍｉｓｓｉｏｎ  ｒｅｃｅｉｖｅ  ｐｏｉｎｔ，ＴＲＰ）、伝送ポイント（ｔｒａｎｓｍｉｓｓｉｏｎ  ｐｏｉｎｔ，ＴＰ）、または別のアクセスノードであってよい。コアネットワークデバイスは、アクセスおよびモビリティ管理機能（ａｃｃｅｓｓ＆ｍｏｂｉｌｉｔｙ  ｆｕｎｃｔｉｏｎ，ＡＭＦ）、セッション管理機能（ｓｅｓｓｉｏｎ  ｍａｎａｇｅｍｅｎｔ  ｆｕｎｃｔｉｏｎ，ＳＭＦ）、ポリシー制御機能（ｐｏｌｉｃｙ  ｃｏｎｔｒｏｌ  ｆｕｎｃｔｉｏｎ，ＰＣＦ）、およびユーザプレーン機能（ｕｓｅｒ  ｐｌａｎｅ  ｆｕｎｃｔｉｏｎ，ＵＰＦ）などの機能ユニットを含んでよい。これらの機能ユニットは、独立して動作してもよく、組み合わされていくつかの制御機能を実装してもよい。例えば、ＡＭＦ、ＳＭＦ、およびＰＣＦは、管理デバイスとして組み合わされ、ユーザ機器のアクセス認証、セキュリティ暗号化および位置登録などのアクセス制御およびモビリティ管理機能と、ユーザプレーン伝送経路の確立、リリース、および変更などのセッション管理機能と、スライス（ｓｌｉｃｅ）に関連するいくつかのデータ（輻輳など）およびユーザ機器関連データを分析する機能を実装してもよい。ＵＰＦは主に、ユーザプレーンデータのルーティングおよび転送などの機能（例えば、ユーザ機器に対するデータパケットフィルタリング、データ伝送／転送、レート制御、課金情報の生成などの役割を担当する）を完成する。
【００９０】
図１Ｂは、５Ｇ通信システムのネットワークアーキテクチャの概略図である。図１Ｂに示される５Ｇネットワークにおいて、機能ユニットは、次世代（ｎｅｘｔ  ｇｅｎｅｒａｔｉｏｎ，ＮＧ）インタフェースを使用することにより機能ユニット間の接続を確立することによって、互いに通信し得る。例えば、ユーザ機器は、ＮＧインタフェース１（略してＮ１）を使用することにより、ＡＭＦに制御プレーンシグナリング接続を確立し得る。ＡＮ／ＲＡＮデバイス（例えば、次世代無線アクセスノードＢ（ＮＲ  ＮｏｄｅＢ，ｇＮＢ））は、ＮＧインタフェース３（略してＮ３）を使用することにより、ＵＰＦにユーザプレーンデータ接続を確立し得、ＡＮ／ＲＡＮデバイスは、ＮＧインタフェース２（略してＮ２）を使用することにより、ＡＭＦに制御プレーンシグナリング接続を確立し得る。ＵＰＦは、ＮＧインタフェース４（略してＮ４）を使用することにより、ＳＭＦに制御プレーンシグナリング接続を確立し得、ＵＰＦは、ＮＧインタフェース６（略してＮ６）を使用することにより、ユーザプレーンデータとデータネットワークとを交換し得る。ＡＭＦは、ＮＧインタフェース１１（略してＮ１１）を使用することにより、ＳＭＦに制御プレーンシグナリング接続を確立し得る。ＳＭＦは、ＮＧインタフェース７（略してＮ７）を使用することにより、ＰＣＦに制御プレーンシグナリング接続を確立し得る。図１Ｂはアーキテクチャ図の例に過ぎないことを留意されたい。図１Ｂに示される機能ユニットに加えて、ネットワークアーキテクチャはさらに、別の機能ユニットを含んでよい。例えば、コアネットワークデバイスはさらに、統一されたデータ管理（ｕｎｉｆｉｅｄ  ｄａｔａ  ｍａｎａｇｅｍｅｎｔ，ＵＤＭ）機能を含み得る。これが本発明のこの実施形態において限定されることはない。
【００９１】
図１Ａに示される通信ネットワークが４Ｇネットワークである場合、ユーザ機器については図１Ｂにおけるユーザ機器の関連説明を参照されたい。詳細については、本明細書で改めて説明しない。アクセスネットワークデバイスは、ノードＢ（ｎｏｄｅＢ，ＮＢ）、発展型ノードＢ（ｅｖｏｌｕｔｉｏｎ  ｎｏｄｅＢ，ｅＮＢ）、ＴＲＰ、ＴＰ、ＡＰ、または別のアクセスユニットであってよい。コアネットワークデバイスは、モビリティ管理エンティティ（ｍｏｂｉｌｉｔｙ  ｍａｎａｇｅｍｅｎｔ  ｅｎｔｉｔｙ，ＭＭＥ）またはポリシーおよび課金ルール機能（ｐｏｌｉｃｙ  ａｎｄ  ｃｈａｒｇｉｎｇ  ｒｕｌｅｓ  ｆｕｎｃｔｉｏｎ，ＰＣＲＦ）、および、サービングゲートウェイ（ｓｅｒｖｉｎｇ  ｇａｔｅｗａｙ，ＳＧＷ）またはＰＧＷなどのゲートウェイデバイスなどの管理デバイスを含んでよく、ローカルゲートウェイ（ｌｏｃａｌ  ｇａｔｅｗａｙ，ＬＧＷ）をさらに含んでよい。
【００９２】
例えば、図１Ｃは、本発明の一実施形態に係る４Ｇネットワークのアーキテクチャの概略図である。図１Ｃに示される４Ｇネットワークにおいて、ユーザ機器は、Ｕｕインタフェースを使用することによりｅＮＢにエアインタフェース接続を確立してよい。ｅＮＢは、Ｓ１‐Ｃインタフェースを使用することによりＭＭＥに制御プレーンシグナリング接続を確立し、ｅＮＢは、Ｓ１‐Ｕインタフェースを使用することによりＳＧＷにユーザプレーンデータ接続を確立する。ＳＧＷは、Ｓ１１インタフェースを使用することによりＭＭＥに制御プレーンシグナリング接続を確立し、ＳＧＷは、Ｓ５／Ｓ８インタフェースを使用することによりＰＧＷにユーザプレーンデータ接続を確立する。図１Ｃはアーキテクチャ図の例に過ぎないことを留意されたい。図１Ｃに示される機能ユニットに加えて、ネットワークアーキテクチャはさらに、別の機能ユニットを含んでよい。これが本発明のこの実施形態において限定されることはない。
【００９３】
一般性を失うことを回避すべく、図２は、本発明の一実施形態に係るマルチキャストアーキテクチャを有する通信システムの概略図である。コアネットワークデバイスは、アクセスネットワークデバイスに個々に接続される制御プレーンネットワークエレメントおよびユーザプレーンネットワークエレメントを含む。ユーザ機器は、無線エアインタフェースを使用することによりアクセスネットワークデバイスに接続されてよい。アクセスネットワークデバイスは主に、無線物理層機能、リソーススケジューリングおよび無線リソース管理、無線アクセス制御、およびモビリティ管理などの機能を実装するように構成される。マルチキャストコアネットワークデバイスは、マルチキャストベアラ管理を含むマルチキャストコアネットワーク制御プレーン（ｃｏｎｔｒｏｌ  ｐｌａｎｅ，ＣＰ）を含んでよい。マルチキャストコアネットワークデバイスはさらに、マルチキャストデータネットワークからアクセスネットワークデバイスへのマルチキャストデータの送信を管理するように構成される、マルチキャストコアネットワークユーザプレーン（ｕｓｅｒ  ｐｌａｎｅ，ＵＰ）を含む。マルチキャストコアネットワークユーザプレーンは、４ＧアーキテクチャにおけるＭＢＭＳ‐ＧＷに対応してよく、マルチキャストコアネットワーク制御プレーンは、４ＧアーキテクチャにおけるＭＭＥに対応してよい。図２はアーキテクチャ図の例に過ぎず、マルチキャストネットワークアーキテクチャが必要とする最小数のネットワークエレメントのみを含むことを留意されたい。従って、図２に示される機能ユニットに加えて、ネットワークアーキテクチャはさらに、別の機能ユニットを含んでよい。
【００９４】
図３は、マルチキャストサービスベアラを確立するプロセスを示す。マルチキャストに参加するユーザ機器は、マルチキャスト端末と称されてよい。ユーザ機器、アクセスネットワークデバイス、マルチキャストコアネットワーク、およびマルチキャストサービスプラットフォームはまず、マルチキャストサービス検出プロセスを受ける。マルチキャストコアネットワークは、マルチキャストサービス情報とマルチキャストサービスプラットフォームとを交換し、アクセスネットワークデバイスは、マルチキャストサービス情報とマルチキャストコアネットワークとを交換し、これによりマルチキャストサービスが確立される。ユーザ機器およびアクセスネットワークデバイスは、マルチキャストに使用されるネットワークリソースを決定し、そして無線ベアラを確立する。具体的な例は、以下の通りである。
【００９５】
ユーザ機器は、マルチキャストサービス検出プロセスにおけるマルチキャストサービスプラットフォームを発見してよい。例えば、ユーザ機器は、オーバー・ザ・トップ（Ｏｖｅｒ  Ｔｈｅ  Ｔｏｐ，ＯＴＴ）ウェブサイトを閲覧し、マルチキャストサービスプラットフォームに対応するサーバとインタラクトし、マルチキャストデータを取得してよい。代替的に、ユーザ機器は、マルチキャストサービスプラットフォームの予め構成されたアドレスからマルチキャストサービスプラットフォームを発見してよい。例えば、マルチキャストサービスプラットフォームは通常、セットトップボックスデバイスに予め構成される。ユーザ機器は、マルチキャストサービスプラットフォームとインタラクトしてマルチキャストプログラムリスト構成を取得する。マルチキャストプログラムリスト構成は、マルチキャストアドレス情報、または、識別子情報などを含み、具体的に、インターネットプロトコル（ｉｎｔｅｒｎｅｔ  ｐｒｏｔｏｃｏｌ，ＩＰ）マルチキャストアドレス、または、エアインタフェースマルチキャスト識別子などを含む。ユーザはユーザ機器におけるプログラムを選択し、これによりユーザ機器はマルチキャストサービスプラットフォームとインタラクトし、ユーザ機器はマルチキャストサービスの受信機として追加され、ユーザ機器はマルチキャストサービスの参加者になる。ユーザがマルチキャストサービスの確立をトリガする上述のプロセスと比較すると、マルチキャストサービスがブロードキャストモードにある場合、マルチキャストサービスプラットフォームは、マルチキャストサービスプラットフォームとユーザ機器との間のインタラクションをトリガすることなく、マルチキャストコアネットワークとのマルチキャストサービス確立プロセスを開始してもよい。マルチキャストサービスは、トランキング通信のグループ通信またはインターネットオブビークルのグループ転送などのサービスを含んでよい。これらの応用シナリオにおけるマルチキャストサービスを確立する方式は、上述のＯＴＴビデオまたはブロードキャスト方式と同様である。
【００９６】
マルチキャストセッション確立：マルチキャストサービスプラットフォームは、マルチキャストコアネットワークと情報を交換し、マルチキャストコアネットワークとマルチキャストアクセスネットワークデバイス（例えば、基地局）との間のマルチキャストセッションの確立をトリガする。代替的に、コアネットワークは、ユーザ機器がマルチキャストサービスに加入することを示すメッセージを受信し、マルチキャストセッションの確立をトリガしてよい。マルチキャストセッションは、マルチキャストトンネルにより保持されてもよく、マルチキャストフローにより識別されてもよい。前者の方式では、マルチキャストトンネルが確立され、マルチキャストデータはマルチキャストトンネルに配置されてアクセスネットワークデバイスに送信され、異なるマルチキャストサービス（異なるマルチキャストアドレスまたは異なるマルチキャストＱｏＳを有する）のマルチキャストデータは、異なるマルチキャストトンネルに配置される。後者の方式では、異なるマルチキャストサービスを区別すべく、マルチキャストフロー識別子がマルチキャストパケットにより搬送される。ユーザ機器がマルチキャストサービスに加入する前にマルチキャストセッションが確立されている（例えば、同じアクセスネットワークにおける別のユーザ機器が先にマルチキャストサービスへの加入を申請している）場合、ユーザ機器は、マルチキャストグループに直接加入してマルチキャストデータを受信してよい。
【００９７】
本発明のこの実施形態において、アクセスネットワークデバイスが異なるユーザ機器のステータスに基づいてマルチキャストサービスを実行する方式を柔軟に調整することを可能にすべく、アクセスネットワークデバイスは、ユーザ機器のマルチキャストサービス情報を把握する必要があり、マルチキャストサービス情報は、ユーザ識別子情報およびマルチキャストサービス識別子を含んでよい。図４Ａに示されるように、マルチキャストサービス情報は、マルチキャストセッション確立の間に、マルチキャストセッション確立メッセージに保持されてよい。代替的に、図４Ｂに示されるように、マルチキャストサービス情報は、マルチキャスト加入要求またはマルチキャストメンバ変更情報に保持されてよい。代替的に、図４Ｃに示されるように、マルチキャストサービス情報は、マルチキャストサービス受信情報に保持されてよい。
【００９８】
図４Ａ、図４Ｂ、および図４Ｃは、以下に個々に詳細に説明される３つの異なる応用シナリオを示す。
【００９９】
図４Ａは、マルチキャストサービスが初めて確立されるシナリオを示し得る。具体的な手順が以下の段階に含まれ得る。４０１Ａ：ユーザ機器は、アクセスネットワークデバイスにマルチキャストサービス加入要求を送信する。
【０１００】
４０２Ａ：アクセスネットワークデバイスは、マルチキャストコアネットワークに受信されたマルチキャストサービス加入要求を転送する。
【０１０１】
４０３Ａ：マルチキャストコアネットワークは、アクセスネットワークデバイスにマルチキャストセッション確立要求を送信し、ここで、マルチキャストセッション確立要求は、マルチキャストサービス情報およびマルチキャスト構成情報を保持し得る。
【０１０２】
マルチキャストサービス情報は、ユーザ識別子情報およびマルチキャストサービス識別子を含み得る。マルチキャスト構成情報は、マルチキャストサービスにより使用される必要があるリソースについての情報を含み得る。
【０１０３】
４０４Ａ：アクセスネットワークデバイスは、マルチキャスト構成情報に基づいて無線ベアラを確立する。無線ベアラがアクセスネットワークデバイスとユーザ機器との間に確立されており、確立された無線ベアラがマルチキャスト構成の要件を満たす場合、この段階は実行されなくてよい。
【０１０４】
４０５Ａ：アクセスネットワークデバイスは、マルチキャストコアネットワークにマルチキャストセッション確立完了メッセージを送信する。
【０１０５】
図４Ｂは、マルチキャストサービスが確立された後にマルチキャストメンバを変更する手順を示し得る。具体的な手順が以下の段階に含まれ得る。４０１Ｂ：ユーザ機器は、アクセスネットワークデバイスにマルチキャストサービス加入要求を送信する。
【０１０６】
４０２Ｂ：アクセスネットワークデバイスは、マルチキャストコアネットワークに受信されたマルチキャストサービス加入要求を転送する。
【０１０７】
４０３Ｂ：マルチキャストコアネットワークは、ユーザ機器により加入されるべきマルチキャストサービスが確立されていることを発見し、アクセスネットワークデバイスにマルチキャストメンバ変更情報を送信する。ここで、マルチキャストメンバ変更情報は、ユーザ識別子情報およびマルチキャストサービス識別子を保持し得る。
【０１０８】
４０３Ｂは代替的に以下の通りであり得る：マルチキャストコアネットワークは、ユーザ機器により加入されるべきマルチキャストサービスが確立されていることを発見し、アクセスネットワークデバイスにマルチキャストサービス加入応答を送信する。ここで、マルチキャストサービス加入応答は、ユーザ識別子情報およびマルチキャストサービス識別子を保持し得る。
【０１０９】
４０４Ｂ：アクセスネットワークデバイスは、ユーザ機器により加入されるべきマルチキャストサービスに対応するマルチキャスト構成情報に基づいて、無線ベアラを確立する。無線ベアラがアクセスネットワークデバイスとユーザ機器との間に確立されており、確立された無線ベアラがマルチキャストサービスの要件を満たす場合、この段階は実行されなくてよい。
【０１１０】
図４Ｂにおいて、ユーザ機器はマルチキャストサービス加入要求を送信し、またマルチキャストサービス加入要求は、ユーザ識別子情報およびマルチキャストサービス識別子を保持し得、これによりアクセスネットワークデバイスは、ユーザ機器がマルチキャストサービス識別子に対応するマルチキャストサービスに加入するべきであることも把握し得る。
【０１１１】
上述の手順において、ユーザ機器がアクセスネットワークデバイスにマルチキャストサービス加入要求を送信し、アクセスネットワークデバイスがマルチキャストサービス加入要求を転送するプロセスの場合、マルチキャストサービス加入要求は、非アクセス層シグナリングを使用することにより送信され得、アクセスネットワークデバイスによりトランスペアレントに伝送される。図４Ｂにおいて、マルチキャストメンバ変更情報は専用指示情報であり得、専用指示情報は、１または複数のマルチキャストメンバユーザの識別子情報を含み得る。
【０１１２】
図４Ｃは、マルチキャストサービスが確立された後にマルチキャストメンバを変更する手順を示し得る。具体的な手順が以下の段階に含まれ得る。４０１Ｃ：ユーザ機器は、アクセスネットワークデバイスにマルチキャストサービス受信情報を送信する。
【０１１３】
マルチキャストサービス受信情報は、ユーザ機器により受信される必要がある特定のマルチキャストサービスを示し得る。具体的な方式は、マルチキャストサービス受信情報がマルチキャストサービス識別子を保持することであり得る。例えば、マルチキャストサービス識別子は、マルチキャストサービスのマルチキャストＩＰアドレスであるか、または、ＭＢＭＳの一時モバイルグループ識別子（ｔｅｍｐｏｒａｒｙ  ｍｏｂｉｌｅ  ｇｒｏｕｐ  ｉｄｅｎｔｉｔｙ，ＴＭＧＩ）と同様である。
【０１１４】
４０２Ｃ：マルチキャストサービス受信情報を受信した後、アクセスネットワークデバイスは、マルチキャストサービス受信情報に保持されるマルチキャストサービス識別子に基づいて、ユーザ機器が加入する特定のマルチキャストサービスグループを決定する。アクセスネットワークデバイスは、マルチキャストコアネットワークにマルチキャストサービス受信情報を転送し得る。
【０１１５】
４０３Ｃ：マルチキャストコアネットワークは、マルチキャストサービス加入応答を返送し、ユーザ機器がマルチキャストサービスに加入したことをアクセスネットワークデバイスに通知し得る。
【０１１６】
加えて、本発明のこの実施形態において、アクセスネットワークデバイスにより取得されるべきマルチキャスト情報のために、アクセスネットワークデバイスは、ユーザ機器により送信されるインターネットグループ管理プロトコル（ｉｎｔｅｒｎｅｔ  ｇｒｏｕｐ  ｍａｎａｇｅｍｅｎｔ  ｐｒｏｔｏｃｏｌ，ＩＧＭＰ）加入（ｊｏｉｎ）メッセージなどの、ユーザ機器のマルチキャスト加入メッセージをモニタリングし、ユーザ機器とマルチキャストサービスとの間の対応関係を取得し得る。
【０１１７】
アクセスネットワークデバイスは、異なるユーザ機器のステータスに基づいて、マルチキャストデータ送信方式を選択または調整し得る。アクセスネットワークデバイスは、エアインタフェース無線マルチキャスト方式を使用してもよく、またはエアインタフェース無線ユニキャスト方式を使用してもよく、またはエアインタフェース無線マルチキャストおよびユニキャストの協働方式を使用してもよい。以下では、いくつかの一般的なマルチキャストサービス応用シナリオを提供する。１．半静的方式におけるユニキャスト方式またはマルチキャスト方式の選択
【０１１８】
図５に示されるように、ユニキャスト方式は、ユーザ機器の数が少ない場合に使用され、マルチキャスト方式は、ユーザ機器の数が多い場合に使用される。六角形領域は、セルの一例である。六角形領域は、１つのセル、または複数のセルを含むセルセットであり得る。左側にある１つの黒い点は、１つのユーザ機器を示す。マルチキャストグループにおけるユーザ機器の数が比較的に少ないので、具体的には、マルチキャストサービスに参加しているユーザ機器の数が比較的に少ないので、ユニキャスト方式が使用のために選択され得る。右側のマルチキャストグループには４つのユーザ機器があり、マルチキャスト方式が使用され得る。具体的な応用シナリオの例は、以下の通りである。
【０１１９】
（Ａ）
この実施形態において、ユニキャスト方式またはマルチキャスト方式が半静的方式で選択される例が使用される。アクセスネットワークデバイスは、マルチキャスト領域におけるマルチキャストサービスのユーザ機器の数に基づいて決定し、ユーザ機器がマルチキャストデータをユニキャスト方式で受信するかマルチキャスト方式で受信するかを構成する。これに応じて、アクセスネットワークデバイスは、ユニキャスト方式またはマルチキャスト方式でユーザ機器にマルチキャストサービスデータを送信する。アクセスネットワークデバイスは、マルチキャスト方式とユニキャスト方式とを使用し得るようにユーザ機器を代替的に構成し得る。この応用シナリオは、後続の実施形態における例を使用することにより説明される。
【０１２０】
マルチキャスト領域は、１または複数のセルであってもよく、またはＭＢＳＦＮにおける複数の単一周波数ネットワークセルと同様であってもよい。
【０１２１】
アクセスネットワークデバイスは、基地局、または基地局の集中ユニット（ｃｅｎｔｒａｌｉｚｅ  ｕｎｉｔ，ＣＵ）であってよい。
【０１２２】
図５における左側の六角形領域に示されるように、マルチキャストサービスデータを受信するユーザ機器の数が比較的に少ない場合、アクセスネットワークデバイスは、ユニキャスト方式でマルチキャストサービスデータを受信するようにユーザ機器を構成し得る。この場合、ユーザ機器は、ユーザ機器の特定の識別情報（ｉｄｅｎｔｉｔｙ，ＩＤ）に対する基地局のスケジューリング情報を受信し、対応するデータ受信およびフィードバックを実行し得る。特定のＩＤは、セル無線ネットワーク一時識別情報（ｃｅｌｌ  ｒａｄｉｏ  ｎｅｔｗｏｒｋ  ｔｅｍｐｏｒａｒｙ  ｉｄｅｎｔｉｔｙ，Ｃ‐ＲＮＴＩ）、媒体アクセス制御（ｍｅｄｉｕｍ  ａｃｃｅｓｓ  ｃｏｎｔｒｏｌ，ＭＡＣ）アドレス、またはユーザ機器を一意に識別できる別のＩＤであってよい。
【０１２３】
図５における六角形領域の右側に示されるように、マルチキャスト領域においてマルチキャストサービスデータを受信するユーザ機器の数が指定された閾値より多い場合、基地局は、マルチキャスト方式でマルチキャストグループにおけるユーザ機器にマルチキャストサービスデータを送信するように選択し、エアインターフェースリソースを節約し得る。基地局は、マルチキャストサービスデータを受信するユーザ機器を構成し、これにより全てのユーザ機器が同じマルチキャストＩＤを使用することにより同じスケジューリング情報を受信でき、同じ無線リソースで同じマルチキャストサービスデータを受信できるようにし得る。マルチキャストＩＤは、例えば、グループＲＮＩＴ、グループＭＡＣアドレス、ＴＭＧＩ、または別の同様のマルチキャストサービスエアインタフェースＩＤであってよい。指定された閾値は、アクセスネットワーク管理システムにより予め構成されてもよく、マルチキャストセッションが確立される場合にコアネットワークによりアクセスネットワークに搬送されてもよい。
【０１２４】
具体的な手順は、図６に示されており、以下の段階を含み得る。
６０１：マルチキャストセッションが確立された後、アクセスネットワークデバイスは、ユーザ機器の数が少ないことを発見し、これによりアクセスネットワークデバイスは、ユーザ機器１に無線ベアラを確立し、ユニキャスト方式でマルチキャストデータを送信し、ユーザ機器は、ユニキャスト方式でマルチキャストデータを受信する。
【０１２５】
段階６０１において、ユーザ機器１は、ユニキャスト方式でマルチキャストサービスデータを受信するように構成される。構成メッセージは、アクセスネットワークデバイスによりユーザ機器に送信された構成情報を搬送してよい。構成情報は通常、マルチキャストベアラの構成、マルチキャストベアラに対応するマルチキャストセッション情報、マルチキャストベアラの論理チャネル情報、およびユニキャスト方式で伝送された指示情報といった内容の１つを含んでよい。マルチキャストセッション情報は、発展型パケットシステム（ｅｖｏｌｖｅｄ  ｐａｃｋｅｔ  ｓｙｓｔｅｍ，ＥＰＳ）ベアラ（ｂｅａｒｅｒ）情報またはＥＰＳフロー（ｆｌｏｗ）情報を含んでよい。
【０１２６】
より具体的に、段階６０１では、マルチキャストセッションが確立された後、ユーザ機器の数があまりに少ないので、アクセスネットワークデバイスは、マルチキャストサービスデータを現在受信する少数のユーザ端末に基づいて、ユニキャスト方式が使用される場合に送信効率が比較的に高いと決定し、これによりユーザ機器１は、ユニキャスト方式でマルチキャストサービスデータを受信するように構成され得る。構成メッセージは、アクセスネットワークデバイスによりユーザ機器に送信される構成情報を搬送してよく、構成情報は、ベアラ構成情報およびリソース層構成情報といった構成情報の少なくとも１つを含んでよい。
【０１２７】
ベアラ構成情報は、無線ベアラ構成およびセキュリティ構成といった情報の少なくとも１つを含んでよい。無線ベアラ構成は、無線ベアラＩＤ、マルチキャストサービスに対応する発展型パケットシステムベアラＩＤ（ｂｅａｒｅｒ  ＩＤ）。サービス品質（ｑｕａｌｉｔｙ  ｏｆ  ｓｅｒｖｉｃｅ，ＱｏＳ）フロー（ｆｌｏｗ）、マルチキャストサービスセッション情報の構成情報、ＰＤＣＰ構成情報、またはＲＬＣ構成情報といった情報の１つを保持してよい。
【０１２８】
マルチキャストサービスセッション情報は、セッション識別子（ｓｅｓｓｉｏｎ  ＩＤ）、およびＴＭＧＩ識別子などを含んでよい。ＲＬＣ構成情報は、対応する確認応答モード（ａｃｋｎｏｗｌｅｄｇｅｄ  ｍｏｄｅ，ＡＭ）のＲＬＣ構成、または非確認応答モード（Ｕｎａｃｋｎｏｗｌｅｄｇｅｄ  Ｍｏｄｅ，ＵＭ）のＲＬＣ構成、およびＲＬＣ構成と論理チャネルとの間のマッピング関係（具体的には、ＲＬＣ構成は、ユニキャスト論理チャネルまたはマルチキャスト論理チャネルにマッピングされてもよく、ユニキャスト論理チャネルとマルチキャスト論理チャネルとの両方にマッピングされてもよい）であってよい。ＲＬＣ構成はさらに、ＡＭまたはＵＭ送信方式、ＲＬＣ構成がマッピングされた論理チャネルについての情報（例えば、論理チャネルはマルチキャスト論理チャネルまたはユニキャスト論理チャネルであることを示す情報）、または論理チャネルＩＤを含んでよい。ＰＤＣＰ構成情報は、ＰＤＣＰ層とＲＬＣ構成（ＲＬＣ構成が、ユニキャスト方式のみまたはマルチキャスト方式のみにマッピングされているか、またはユニキャスト方式とマルチキャスト方式とを組み合わせる方式であるかを含む）との間のマッピング関係、およびＰＤＣＰ層が再伝送機能をサポートすることを示す指示情報を含んでよい。マルチキャスト論理チャネルは、マルチキャスト制御チャネル（ｍｕｌｔｉｃａｓｔ  ｃｏｎｔｒｏｌ  ｃｈａｎｎｅｌ，ＭＣＣＨ）／マルチキャストトラフィックチャネル（ｍｕｌｔｉｃａｓｔ  ｔｒａｆｆｉｃ  ｃｈａｎｎｅｌ，ＭＴＣＨ）を含む。ユニキャスト論理チャネルは、専用制御チャネル（ｄｅｄｉｃａｔｅ  ｃｏｎｔｒｏｌ  ｃｈａｎｎｅｌ，ＤＣＣＨ）／専用トラフィックチャネル（ｄｅｄｉｃａｔｅｄ  ｔｒａｆｆｉｃ  ｃｈａｎｎｅｌ，ＤＴＣＨ）を含む。
【０１２９】
リソース層構成情報は、ＭＡＣ層構造および物理層構造を含み得る。物理層構造は、スペクトルリソース構成を含み得、対応するＩＤ、帯域幅、サブフレームフォーマットなどを含む、１または複数の物理セル構成情報、キャリア構成情報、またはキャリアフラグメント構成情報の形態であり得る。さらに、物理層構造は、対応する物理チャネル／信号および対応する識別子情報の物理ビデオリソース構成情報、例えば、ユニキャスト物理制御および共有チャネルの構成情報並びにユニキャストスケジューリング識別子、または、マルチキャスト物理制御および共有チャネルの構成情報並びにマルチキャストスケジューリング識別子をさらに含み得る。ユニキャスト物理制御および共有チャネル並びにマルチキャスト物理制御および共有チャネルは、同じであってもよく、同じ物理リソースを共有してもよい。ＭＡＣ層構造は、ユニキャストまたはマルチキャスト論理チャネルと対応する物理チャネルとの間のマッピング関係、論理チャネル優先度情報、およびＨＡＲＱ構成情報を含み得る。
【０１３０】
構成メッセージはさらに、測定情報（例えば、マルチキャスト方式とユニキャスト方式との間の切り換えに使用される測定イベント構成情報）を搬送し得る。構成メッセージはさらに、安全な暗号化／復号化情報、例えば、マルチキャストサービスのための暗号化／復号化アルゴリズムを搬送してよい。
６０２：新たなユーザ機器がマルチキャストグループに加入する。
６０３：コアネットワーク側が、マルチキャストセッション更新メッセージをアクセスネットワークデバイスに送信して、新たなユーザ機器がマルチキャストサービスに加入したことをアクセスネットワークデバイスに通知し得る。
６０４：アクセスネットワークデバイスは、マルチキャストグループにｎ個のユーザ機器があることを発見し、ｎは、サービスデータがマルチキャスト方式で送信されたことを指定するための閾値に達する。ユニキャスト方式に確立された無線ベアラがマルチキャスト方式に適用可能でない場合、アクセスネットワークデバイスとユーザ機器１との間の無線ベアラは更新され得る。
６０５：アクセスネットワークデバイスはユーザ機器ｎに無線ベアラを確立し、ここで、無線ベアラは、マルチキャスト方式でデータを伝送するのに使用される。
【０１３１】
上述の手順において、同じマルチキャストサービスのユーザ機器の数の増加についての情報を受信した後、アクセスネットワークデバイスは、アクセスネットワークデバイスの選択アルゴリズムに従って、マルチキャストサービスデータを送信するためのマルチキャスト方式を選択することを決定し、アクセスネットワークデバイスは、対応するユーザ機器のために対応する構成情報を構成し、ここで、構成情報は、対応するマルチキャスト構成を搬送する。
【０１３２】
上述の手順において、段階６０３および段階６０４におけるアクセスネットワークデバイスは、マルチキャストグループにおけるユーザ機器の数を把握してよい。上述の選択アルゴリズムは、ユーザ機器の指定された数の閾値に到達した場合、またはユーザ機器のチャネルステータスに基づいて、ユニキャスト方式でマルチキャストサービスデータを個々に送信するよりも、マルチキャスト方式でマルチキャストサービスデータを送信するのにより少ない無線リソースが使用されることを決定し、これによりアクセスネットワークデバイスは、マルチキャストサービスデータを送信するためのマルチキャスト方式を選択すると決定してよく、これに応じて、ユーザ機器は、マルチキャスト方式でマルチキャストサービスデータを受信することであり得る。
【０１３３】
上述の手順において、マルチキャスト無線ベアラが段階６０４で確立される場合、アクセスネットワークデバイスは、マルチキャスト構成を端末に送信してよく、マルチキャスト構成は通常、マルチキャストベアラの構成、マルチキャストベアラに対応するマルチキャストセッション情報、マルチキャストベアラの論理チャネル情報、マルチキャストスケジューリング識別子、マルチキャスト伝送チャネルの構成、マルチキャスト論理チャネルの構成、マルチキャストチャネルの測定構成、マルチキャスト関連のユニキャスト構成といった内容の１つを搬送してよい。マルチキャストセッションは、ＥＰＳベアラまたはＥＰＳフローを含んでよく、マルチキャストスケジューリング識別子は、グループ無線ネットワーク一時識別子（ｇｒｏｕｐ  ＲＮＴＩ，Ｇ‐ＲＮＴＩ、略してマルチキャスト識別子）を含んでよく、マルチキャスト伝送チャネルの構成は、サブフレームまたはキャリアを含んでよく、マルチキャスト論理チャネルの構成は、論理チャネル識別子を含んでよい。
【０１３４】
ユニキャスト方式でのユーザ機器によるマルチキャストサービスデータの受信方式と、マルチキャスト方式でのユーザ機器によるマルチキャストサービスデータの受信方式との間の差異は、物理層スケジューリング識別子のモニタリングにおける差異にある。ユーザ機器がユニキャスト方式でマルチキャストサービスデータを受信する場合、ユーザ機器は、物理層により送信されるスケジューリングシグナリングを、ユーザ機器の識別子（Ｃ‐ＲＮＴＩなど）に基づいてモニタリングまたは受信する。ユーザ機器がマルチキャスト方式でマルチキャストサービスデータを受信する場合、ユーザ機器は、物理層により送信されるスケジューリングシグナリングを、マルチキャスト識別子（Ｇ‐ＲＮＴＩなど）に基づいてモニタリングまたは受信する。ユニキャスト方式とマルチキャスト方式とのための制御シグナリングのフォーマットまたはサイズなどの他のものも異なり得る。制御シグナリングは、ダウンリンク制御情報（ｄｏｗｎｌｉｎｋ  ｃｏｎｔｒｏｌ  ｉｎｆｏｒｍａｔｉｏｎ，ＤＣＩ）であってよい。ユーザ機器は、ユニキャスト方式の受信ステータスまたはマルチキャスト方式の受信ステータスの１つにあってよく、これによりモニタリングおよび検出される必要があるシグナリングの量が低減できる。加えて、ユーザ機器は代替的に、ユニキャスト方式の受信ステータスとマルチキャスト方式の受信ステータスとの両方にあってよい。この場合、ユーザ機器は、アクセスネットワークデバイスにより送信されるユニキャストスケジューリングシグナリングおよびマルチキャストスケジューリングシグナリングを同時に検出し、スケジューリングシグナリングにより示されるように、対応する時間周波数リソースでマルチキャストサービスデータを受信する。
【０１３５】
（Ｂ）図７は、マルチキャスト方式またはユニキャスト方式を選択する別の応用シナリオを示す。同じマルチキャストサービスデータを受信するユーザ機器において、いくつかのユーザ機器の信号品質は、セルの縁部に配置されているなどの理由に起因して、比較的に劣悪である。これらのユーザ機器の全てがマルチキャストグループに含まれるとき、マルチキャスト方式でマルチキャストサービスデータを送信する場合、アクセスネットワークデバイスは、最も低い信号品質を有するユーザ機器を考慮して、比較的に低い効率でマルチキャストデータを送信する必要がある。これは、全体的な効率を低下させる。この場合、アクセスネットワークデバイスは、ユーザ機器のチャネル品質に基づいてユーザ機器をグループ化し得、良好なチャネル品質を有するユーザ機器を指定してマルチキャスト方式でマルチキャストサービスデータを受信し、劣悪なチャネル品質を有するユーザ機器を指定してユニキャスト方式でマルチキャストサービスデータを受信する。
【０１３６】
ユーザ機器のチャネル品質をアクセスネットワークデバイスにより取得する方式は、アクセスネットワークデバイスが、ユーザ機器により送信されるチャネル測定フィードバック（例えば、ユーザ機器により報告される測定レポートまたはチャネル状態情報（ｃｈａｎｎｅｌ  ｓｔａｔｅ  ｉｎｆｏｒｍａｔｉｏｎ，ＣＳＩ）フィードバック）を受信することであり得る。マルチキャスト方式でマルチキャストサービスデータを受信するように指定されるユーザ機器は、チャネル品質が指定された閾値より良好なユーザ機器であり得る。チャネル品質が指定された閾値より劣悪なユーザ機器の場合、劣悪なチャネル品質を有するユーザ機器はデータの受信に成功することが可能であるので、マルチキャストサービスデータの全体的な伝送効率の低下を回避すべく、マルチキャストサービスデータを受信するためのマルチキャスト方式は削除または非アクティブ化され得る。比較的に劣悪なチャネル品質を有するユーザ機器の場合、アクセスネットワークデバイスは、ユニキャスト方式でマルチキャストサービスデータを送信し得る。
【０１３７】
図８に示されるように、具体的な手順は、以下の通りであり得る。
８０１：マルチキャストセッションが確立された後、アクセスネットワークデバイスはユーザ機器に無線ベアラを確立し、ここで、初めて確立された無線ベアラは、マルチキャストサービスの確立に適用可能であり得る。
８０２：ユーザ機器は、チャネル測定フィードバックをアクセスネットワークデバイスに送信する。
８０３：アクセスネットワークデバイスは、チャネル測定フィードバックに基づいて、ユーザ機器のチャネル品質が比較的に劣悪であり、それがマルチキャストサービスの全体的な伝送効率に影響を与えることを発見し、ユニキャストサービスに適用可能な無線ベアラをユーザ機器に確立する。
【０１３８】
上述の手順において、無線ベアラ確立プロセスについては上述の実施形態を参照されたい。詳細については、本明細書で改めて説明しない。図８に示される上述の手順において、無線ベアラ確立プロセスでは、確立されるべき無線ベアラが必要とする構成情報のみが送信され得る。具体的に、段階８０１において、アクセスネットワークデバイスはユーザ機器にマルチキャスト構成情報のみを送信し得、ユニキャスト構成情報を送信する必要はない。段階８０３において、アクセスネットワークデバイスはユニキャスト構成情報のみを送信し得、マルチキャスト構成情報を送信する必要はない。加えて、マルチキャストサービスが初めて確立された場合、ユーザ機器はまず段階８０２を実行し、そしてユーザ機器により確立されるべき無線ベアラの種類を決定し得る。加えて、新たに追加されたユーザ機器に対しては、段階８０１が実行されない場合がある。上述の手順において、マルチキャスト構成情報とユニキャスト構成情報とは段階８０１において代替的に送信され得、続いて、段階８０３において、ユーザ機器は、ユニキャスト方式に切り換えることのみを命令されるか、または、ユーザ機器はチャネル品質が劣悪であると決定してユニキャスト方式に切り換える。
【０１３９】
図９に示されるように、図９は、以下の段階を含む別の応用シナリオの実装例である。
９０１：マルチキャストセッションが確立された後または新たなマルチキャストセッションが確立された後、アクセスネットワークデバイスは、マルチキャスト構成情報、ユニキャスト構成情報、および切り換え閾値などの情報をユーザ機器に送信する。ユーザ機器は、切り換え閾値に基づいて、アクセスネットワークデバイスに無線ベアラを確立すると決定する。
９０２：ユーザ機器は、チャネル測定レポートをアクセスネットワークデバイスに送信し、ユーザ機器のチャネル品質をアクセスネットワークデバイスに通知し得る。
【０１４０】
ユーザ機器は切り換え閾値を既に把握しているので、ユーザ機器は切り換えの決定を単独で行い得る。測定レポートの送信の別の目的は、ユーザ機器が切り換えを完了したことをアクセスネットワークデバイスに通知することであり得る。
【０１４１】
この実施形態において、アクセスネットワークデバイスは、マルチキャスト構成情報とユニキャスト構成情報との両方をユーザ機器に送信し、さらに、マルチキャスト方式またはユニキャスト方式でマルチキャストサービスデータを受信するための測定閾値または測定イベント条件をユーザ機器に送信し得る。ユーザ機器が、測定によって且つ切り換え閾値に基づいて、受信方式の切り換え条件を決定する場合、アクセスネットワークデバイスは、シグナリングを使用することにより通知され、これによりマルチキャスト構成またはユニキャスト構成がアクティブ化され、対応する無線ベアラが確立され、そして対応する受信方式に切り換えられる。アクセスネットワークデバイスを通知するのに使用されるシグナリングは、チャネル測定レポートであり得る。
【０１４２】
（Ｃ）図１０に示されるように、マルチキャストグループは、異なるサブマルチキャストグループに分割され得る。この実施形態において、マルチキャストサービスデータはさらに、予め定められた方式でグループ化され、全体的な伝送効率を向上させ得る。ユーザ機器は異なる方向を有するので、アクセスネットワークデバイスは、異なるビームフォーミングによって、異なるユーザ機器をカバーし得る。加えて、異なる移動速度を有するユーザ機器も異なるサブマルチキャストグループにグループ化され得、異なる受信能力を有するユーザ機器も異なるグループにグループ化され得る。異なる受信能力は、例えば、２つのアンテナまたは４つのアンテナなどの、サポートされるアンテナの数により決定され得る。
【０１４３】
この実施形態において、アクセスネットワークデバイスは、ユーザ機器のフィードバックチャネルを使用することにより、ユーザ機器の受信能力および動作ステータスなどの情報を取得し、柔軟なグループ化によって、グループにおけるユーザ間の差異を可能な限り低減させ、それによりマルチキャスト効率の低下を回避し得る。具体的には、マルチキャストサービスデータは複数のサブマルチキャストグループにより分割および送信され得、異なるマルチキャスト構成に基づいてエアインタフェースを使用することにより送信され得る。異なるサブマルチキャストグループのマルチキャストユーザは、異なるマルチキャストスケジューリング識別子の構成またはマルチキャスト伝送チャネルの構成により区別され、グループ間のリソースの衝突または干渉を回避し得る。マルチキャストスケジューリング識別子は、例えば、グループＲＮＴＩであり、マルチキャスト伝送チャネルの構成は、例えば、サブフレームまたはキャリアである。
【０１４４】
加えて、グループにおけるユーザ間の差異は、グループ内差異とも称され得、サブマルチキャストグループにおけるユーザ機器間の差異である。グループ化はマルチキャストサービスデータの伝送効率を向上させるためなので、基準値は通常、グループ化の基準になる。基準値は、例えば、上述の例における動作ステータスであり得る。低速で動作するユーザ機器が１つのグループにグループ化され得、高速で動作するユーザ機器が１つのグループにグループ化され得る。代替的に、基準値は、例えば、ユーザ機器の方向であり得る。ユーザ機器は、アクセスネットワークデバイスのアンテナビームフォーミングがユーザ機器をカバーできるかどうか、およびカバレッジ後の可能なチャネル品質の分割に基づいてグループ化され得る。この差異は、ユーザ機器間に影響が存在するので、サブマルチキャストグループの伝送効率が低減されたかどうかにより最終的に反映される。通常、基準値間の差異が小さいほど、ユーザ機器間の影響が小さい。２．ハイブリッドモードにおけるユニキャスト方式またはマルチキャスト方式の動的選択
【０１４５】
以下の例において、マルチキャストサービスデータの受信に参加しているユーザ機器は、マルチキャスト方式とユニキャスト方式との両方でマルチキャストサービスデータを受信し得る。以下の例は、マルチキャスト方式とユニキャスト方式との動的調整に焦点を合わせている。
【０１４６】
（Ａ）図１１に示されるように、３つの曲線Ａ、Ｂ、およびＣは、３つのユーザ機器が同じマルチキャストサービスデータを受信する際の、ある期間におけるチャネル品質の変更ステータスをそれぞれ表す。期間ｔ０からｔ１において、Ａ、Ｂ、およびＣは、チャネル品質が比較的に良好な段階にあり、アクセスネットワークデバイスは、マルチキャスト方式でＡ、Ｂ、およびＣにデータを送信する。期間ｔ１からｔ２において、比較的に強い悪化がユーザ機器Ｃのチャネル品質に発生する。チャネル品質の悪化は、移動、一時的な信号の遮断、または干渉などによりもたらされ得、結果として、マルチキャストサービスデータが正確に受信されることは保証できない。ユニキャスト方式でマルチキャストサービスデータを受信することは、ハイブリッド自動再伝送（ｈｙｂｒｉｄ  ａｕｔｏｍａｔｉｃ  ｒｅｐｅａｔ  ｒｅｑｕｅｓｔ，ＨＡＲＱ）、動的スケジューリング、または適応変調およびコーディング（ａｄａｐｔｉｖｅ  ｍｏｄｕｌａｔｉｏｎ  ａｎｄ  ｃｏｄｉｎｇ，ＡＭＣ）によって調整され、ユーザ機器のチャネル条件の悪化を補償し得る。従って、期間ｔ１からｔ２において、ユーザ機器Ａおよびユーザ機器Ｂは、マルチキャスト方式でマルチキャストサービスデータを受信することを続けてよく、ユーザ機器Ｃは、ユニキャスト方式でマルチキャストサービスデータを受信してよい。時間ｔ２の後、ユーザ機器Ｃのチャネル品質は比較的に良好な状態に復元され、ユーザ機器Ｃは、マルチキャスト方式でマルチキャストサービスデータを改めて受信してよい。具体的な手順は図１２に示され得、以下の段階を含む。
１２０１：マルチキャストセッションが確立された後、ユーザ機器に無線ベアラを確立する。
【０１４７】
この段階において、マルチキャスト構成情報とユニキャスト構成情報とは一度に送信され得、マルチキャスト無線ベアラまたはユニキャスト無線ベアラは無線ベアラのために選択され得る。上述の実施形態を参照されたい。詳細については、本明細書で改めて説明しない。
１２０２：ユーザ機器は、チャネル測定フィードバックをアクセスネットワークデバイスに送信する。
【０１４８】
本明細書において、チャネル品質フィードバックは、ユーザ機器のチャネル品質についての情報を搬送し、具体的には、測定レポート、チャネルステータスレポート、またはアップリンク参照信号であってよい。加えて、段階１２０１において、切り換え閾値は、構成情報において指定されてよい。従って、ユーザ機器が、マルチキャストサービスデータの受信方式を切り換えるかどうかを決定する場合、ユーザ機器は、この段階において、受信方式切り換え指示情報を送信してもよい。
１２０３：アクセスネットワークデバイスは、ユーザ機器により送信されるチャネル測定フィードバック、またはユーザ機器により送信される受信方式切り換え指示情報に基づいて、ユーザ機器が、マルチキャスト方式でのマルチキャストサービスデータの受信から、ユニキャスト方式でのマルチキャストサービスデータの受信に切り換えること、または、ユニキャスト方式でのマルチキャストサービスデータの受信から、マルチキャスト方式でのマルチキャストサービスデータの受信に切り換えることを決定し得る。アクセスネットワークデバイスは、ユーザ機器に切り換え命令を送信し、ユーザ機器は、サービスデータの受信方式を切り換える。
【０１４９】
図１１では、時点ｔ１において、アクセスネットワークデバイスは、ユーザ機器Ｃが、マルチキャスト方式でのマルチキャストサービスデータの受信から、ユニキャスト方式でのマルチキャストサービスデータの受信に切り換えることを決定する。時間ｔ２において、アクセスネットワークデバイスは、ユーザ機器Ｃが、ユニキャスト方式でのマルチキャストサービスデータの受信から、マルチキャスト方式でのマルチキャストサービスデータの受信に切り換えることを決定する。
【０１５０】
この実施形態において、アクセスネットワークデバイスは、シグナリングを使用することにより、マルチキャスト方式でのマルチキャストサービスデータの受信から、ユニキャスト方式でのマルチキャストサービスデータの受信に切り換えるように、ユーザ機器Ｃに命令してよい。段階１２０３において、ユーザ機器によるマルチキャストサービスデータの受信方式は、無線ベアラの再構成によって切り換えられ得る。切り換えをより迅速に実行し、高速なチャネルステータスの変更に合わせるべく、マルチキャストサービスが段階１２０１で確立される場合、アクセスネットワークデバイスは、マルチキャスト構成情報とユニキャスト構成情報との両方をユーザ機器に送信する。方式が切り換えられる必要がある場合、アクセスネットワークデバイスは、切り換え命令を使用することにより、マルチキャストサービスデータの受信方式を切り換えるようにユーザ機器に命令するか、または、マルチキャストサービスデータの指定された受信方式をアクティブ化する。切り換え命令は、例えば、物理層ダウンリンク制御インジケータ（ｄｏｗｎｌｉｎｋ  ｃｏｎｔｒｏｌ  ｉｎｄｉｃａｔｏｒ，ＤＣＩ）またはＭＡＣ層制御エレメント（ｃｏｎｔｒｏｌ  ｅｌｅｍｅｎｔ，ＣＥ）を使用することにより送信されてよい。３．サービスによりトリガされるマルチキャストおよびユニキャスト方式の切り換え
【０１５１】
以下の例において、ユーザ機器によるマルチキャストサービスデータの受信方式は、マルチキャスト方式とユニキャスト方式との間で切り換えられてよい。以下の例において、マルチキャストサービスデータは、ユニキャスト方式でユーザ機器に送信される必要があり、続いて、ユーザ機器はマルチキャスト方式でマルチキャストサービスデータを受信してよい。
【０１５２】
図１３は、サービスが受信方式の切り換えをトリガするシナリオを示す。マルチキャスト方式では通常、送信および受信は固定レートで実行されるので、ユーザ機器が特定の要件（例えば、より高いレートでマルチキャストサービスデータを受信する必要がある）を有する場合、ユーザ機器は、シグナリングを使用することによりアクセスネットワークデバイスとインタラクトしてよく、アクセスネットワークデバイスは、ユニキャスト方式でユーザ機器にマルチキャストサービスデータを送信する。図１２に示されるシナリオに示されるように、ユーザ機器は、ビデオサービスを受信している。現在の一般的なビデオのエンコード／デコード方式Ｈ．２６４／Ｈ．２６５では、画像フレームは、シーケンスをユニットとして使用することにより体系化され、Ｉフレーム、Ｂフレーム、およびＰフレームが存在する。ここで、Ｉフレームは、フルフレーム圧縮符号化フレームであり、デコードしている間にＩフレームのデータのみを使用することにより完全な画像が再構築され得る。ＢフレームおよびＰフレームは、Ｉフレームに基づいており、Ｉフレームと異なる部分のみが伝送される。ビデオ情報において、多数の同じ情報が連続フレーム間に存在する。従って、同じ情報の伝送は、Ｂフレーム／Ｐフレームを使用することにより低減され、それにより伝送帯域幅を節約し得る。しかしながら、ユーザ機器が新たなビデオを受信する（例えば、新たなビデオをクリックする、進行バーをドラッグする、またはチャネルを切り換える）場合、Ｉフレームはまず、新たなビデオの再生に成功すべく、デコードされる必要がある。ユニキャストサービスでは、サーバはＩフレームから開始するデータを常に送信する。しかしながら、マルチキャストサービスでは、データは複数のユーザに同時に送信され、新たに加入したユーザは、ユーザがマルチキャストサービスに加入する場合に、ユーザが新たなＩフレームを受信できることを保証できない。図１３に示されるように、ユーザ機器は時点Ｔ１でマルチキャストサービスデータの受信を開始する。この時点で、前のＩフレームは送信され、次のＩフレームは送信されず、ユーザ機器は、現在受信されているＰフレームおよびＢフレームに基づいて、完全なビデオフレームを正確に構築することができない。従って、ユーザ機器は、黒スクリーン状態にのみあり得、ビデオの再生を直ちに開始することはできない。この場合、ユーザ機器は、ユニキャスト方式でマルチキャストサービスデータを送信するようにアクセスネットワークデバイスに命令し、以前には受け付けられなかったＩフレームおよびＢフレームを、比較的に高いレートで送信し得、これによりユーザ機器はビデオの再生を直ちに開始できる。ユニキャスト方式でユーザ機器により受信されたデータフレームが、現在のマルチキャストデータフレームのシーケンス番号より大きいまたはそれに等しい場合、ユーザ機器は、ユニキャストリソースをリリースし、マルチキャスト方式に再び切り換えてマルチキャストサービスデータを受信してよい。
【０１５３】
コアネットワークデバイスは、データパケットのヘッダにおけるタグを使用することにより異なる種類のデータパケットを区別し得、アクセスネットワークデバイスは、コアネットワークデバイスの指示情報に基づいてマルチキャストサービスデータを送信し、しばらくマルチキャストサービスデータをバッファリングし得る。新たなユーザ機器がマルチキャストグループに加入するまたは元のユーザ機器がマルチキャストサービスデータの受信を開始する場合、アクセスネットワークデバイスはまず、ユニキャスト方式でマルチキャストサービスデータのセグメントを送信し得る。マルチキャストサービスデータは、先にアクセスネットワークデバイスによりバッファリングされ得、送信された開始データパケットは、ある期間内に存在してもよく、最新の特定の種類のデータパケットから開始してもよい。アクセスネットワークデバイスが、ユニキャスト方式で送信される必要があるマルチキャストサービスデータをバッファリングしない場合、ユニキャスト方式で送信されたマルチキャストサービスデータは、コアネットワークデバイスによりアクセスネットワークデバイスに送信されてよい。マルチキャストセッションを確立または更新するプロセスにおいて、ユニキャスト送信チャネルは、コアネットワークデバイスとアクセスネットワークデバイスとの間に確立され、マルチキャストサービスデータを送信する。ユニキャスト方式で送信される必要があるマルチキャストサービスデータが送信された後、アクセスネットワークデバイスまたはユーザ機器は、マルチキャスト方式に再び切り換えてマルチキャストサービスデータを受信する。コアネットワークデバイスがマルチキャストサービスデータをアクセスネットワークデバイスに送信する上述のシナリオにおいて、コアネットワークは、ユニキャスト方式でのマルチキャストサービスデータの送信をいつ終了させるかをアクセスネットワークに通知してよく、データパケットにおける個々のシグナリングまたは特定の識別子（例えば、ＧＴＰ‐Ｕのｅｎｄ  ｍａｒｋｅｒ）は、ユニキャスト方式でのマルチキャストサービスデータの送信が終了することを示すのに使用されてよい。同様に、アクセスネットワークデバイスは、専用シグナリングまたは終了データパケット識別子を使用することにより、マルチキャスト方式に再び切り換えてマルチキャストサービスデータを受信するようにユーザ機器に命令してもよい。ビデオ再生シナリオは、一例として使用される。具体的なプロセスについては、図１４を参照されたい。プロセスは、以下の段階を含む。
１４０１：マルチキャストセッションが確立された後、ユーザ機器はマルチキャストグループに加入するか、または、ユーザ機器はマルチキャスト方式でマルチキャストサービスデータを受信するように切り換え、マルチキャスト方式でのマルチキャストサービスデータの受信に適用可能な無線ベアラを確立する。
【０１５４】
この段階において、ユーザ機器は、マルチキャストグループに新たに加入するユーザ機器であってもよく、マルチキャストグループにおける既存のユーザ機器であってもよい。
１４０２：アクセスネットワークデバイスは、マルチキャストサービスデータの一部がユニキャスト方式でユーザ機器に送信される必要があると決定し、ユーザ機器に無線ベアラを確立し、ユニキャスト方式でマルチキャストサービスデータを送信する。
【０１５５】
アクセスネットワークデバイスが、マルチキャストサービスデータがユニキャスト方式でユーザ機器に送信される必要があると決定する方式は、データパケットのプロトコルヘッダにおけるコアネットワークデバイスが、ＢフレームおよびＰフレームなどのいくつかのデータパケットがユニキャスト方式で送信される必要があること、または、アクセスネットワークデバイスが受信されたデータパケットを解析することを指定する段階を含み得る。データパケットがＢフレームまたはＰフレームであることを発見する場合、アクセスネットワークデバイスは、データパケットがユニキャスト方式で送信される必要があると決定する。
１４０３：アクセスネットワークデバイスは、ユニキャスト方式で送信される必要があるマルチキャストサービスデータをユーザ機器に送信する。
【０１５６】
ユニキャスト方式でアクセスネットワークデバイスにより送信されたマルチキャストサービスデータは、アクセスネットワークデバイスによりバッファリングされてよい。例えば、マルチキャストサービスを実行するプロセスの間、アクセスネットワークデバイスは、最近送信されたＩフレーム、および、Ｉフレームと受け付けられなかった次のＩフレームとの間のデータをバッファリングし、バッファリングされたデータを、ユニキャスト方式で送信される必要があるマルチキャストサービスデータとして使用する。代替的に、マルチキャストサービスデータは、マルチキャストサービスのソース端から取得されるデータであってよい。ユニキャスト方式で送信される必要があるマルチキャストサービスデータを具体的にどのように取得するかは、本発明のこの実施形態において一意に説明されない。
１４０４：ユニキャスト方式で送信される必要があるマルチキャストサービスデータを送信した後、アクセスネットワークデバイスは、アクセスネットワークデバイスとユーザ機器との間の無線ベアラを、マルチキャスト方式でマルチキャストサービスデータを受信するのに使用されていた無線ベアラに再び切り換える。
【０１５７】
切り換え方式は、新たに確立された無線ベアラを、マルチキャスト方式でサービスデータを送信するように適応させることを可能にすべく、アクセスネットワークデバイスがユーザ機器に切り換え命令を送信することであってもよく、または、無線アクセスベアラを再構成することであってもよい。
１４０５：アクセスネットワークデバイスは、マルチキャスト方式でユーザ機器にマルチキャストサービスデータを送信する。４．マルチキャストサービスデータを送信する方式を切り換えている間のサービス継続性の保証
【０１５８】
マルチキャスト方式がユニキャスト方式に切り換えられる場合、マルチキャストサービスの連続性を保証すべく、ユニキャスト方式に切り換えた後、ユーザ機器は、データパケット番号を使用することにより、ユニキャスト方式で送信され始めるデータパケットをアクセスネットワークデバイスに通知してよい。例えば、アクセスネットワークデバイスは、最後に受信に成功したデータパケットのシーケンス番号、または、受信される必要がある次のデータパケットのシーケンス番号を通知されてもよく、または、アクセスネットワークデバイスは、ＰＤＣＰステータスレポートを使用することにより通知されてもよい。ここで、ＰＤＣＰステータスレポートは、シーケンス番号Ｎからシーケンス番号Ｍまでのデータパケットにおいて、ユーザ機器により受信に成功したデータパケットの識別子は１であり、受信に成功しなかったデータパケットの識別子は０であることを示すのに使用される。ユーザ機器により送信される情報に基づいて、アクセスネットワークデバイスは、ユーザ機器により受け付けられなかったデータパケットをユニキャスト方式で送信し、ユーザ機器のサービス継続性を保証する。５．ハイブリッド送信方式におけるユニキャスト方式とマルチキャスト方式との間の協働
【０１５９】
ユニキャスト方式とマルチキャスト方式とは、互いに切り換えられ得、互いに協働し得る。現在、マルチキャストサービスデータは、フィードバック情報なしにマルチキャスト方式で伝送され、再伝送はできない。従って、マルチキャストサービスは、比較的に保守的で強固な伝送方式でのみ伝送されることができ、ほとんどのシナリオにおいて端末がマルチキャストサービスデータを１回受信することに成功できることを保証する。保守的な伝送方式はリソース効率を犠牲にする必要があるので、この応用のマルチキャスト拡張機能の解決手段において、マルチキャストサービスに参加しているユーザ機器のフィードバックメカニズムが導入され得る。マルチキャストグループにおけるユーザ機器がマルチキャストサービスデータの受信に失敗した後、アクセスネットワークデバイスは、マルチキャストサービスデータを再伝送する。本発明のこの実施形態において、マルチキャストサービスデータはユニキャスト方式で再伝送され得る。
【０１６０】
図１５および図１６に示されるように、Ａ、Ｂ、およびＣの各々は、マルチキャストグループにおけるユーザ機器を表す。ユーザ機器Ｃのチャネル品質は、Ｔ１からＴ２まで悪化する。例えば、ユーザ機器Ｃはセル縁部に進入するか、またはチャネルがブロックされ、これによりユーザ機器Ｃはマルチキャストサービスデータの受信に失敗する。ユーザ機器Ｃは、フィードバック情報を使用することにより、再伝送される必要があるデータパケットをアクセスネットワークデバイスに通知し得る。データパケットを再伝送するプロセスにおいて、ユーザ機器は、マルチキャスト方式とユニキャスト方式との両方でマルチキャストサービスデータを受信し得る。ユニキャスト方式の支援により、マルチキャスト方式の信頼性はより高くなり得、マルチキャストサービスデータは、より効率的なマルチキャスト方式で送信され得る。
【０１６１】
ユーザ機器が再伝送される必要があるデータパケットをアクセスネットワークに通知する方式は、具体的に以下の通りであり得る。
【０１６２】
ユーザ機器は、フィードバック情報と再伝送データパケットとの間の固定関係（例えば、物理層フィードバックチャネルを使用することによりＮＡＣＫを送信する方式）を使用することにより、アクセスネットワークデバイスが、（ｎ−ｋ）番目のサブフレームで送信されたデータパケットをユニキャスト方式で再伝送することを指定する。ここで、ｎはＮＡＣＫを送信するためのサブフレームである。代替的に、ユーザ機器は、明示的なデータパケット番号（例えば、ＲＬＣまたはＰＤＣＰステータスレポート）を使用することにより、シーケンス番号（ｓｅｑｕｅｎｃｅ  ｎｕｍｂｅｒ  ｘ，ＳＮｘ）を持つ１または複数のデータパケットが再伝送される必要があることを明示的に示し得る。
【０１６３】
上述の実施形態において、マルチキャストサービスがエアインタフェース伝送に関連するいくつかの典型的なシナリオおよび手順が、例を使用することにより説明されている。以下の実施形態は、アクセスネットワークデバイスのユーザプレーンプロトコルスタック構造およびユーザ機器を集中的に説明することに焦点を合わせる。
【０１６４】
図１７、図１８Ａおよび図１８Ｂは、アクセスネットワークデバイスのマルチキャストユーザプレーンの伝送側におけるプロトコルスタック構造と、ユーザ機器１からユーザ機器ｎまで受信側として使用されるプロトコルスタック構造とを含むＰＤＣＰ層において、マルチキャストとユニキャストとの協働を実装するためのプロトコルスタック構造を示す。ＲＬＣ層のサービスインタフェースについては、マルチキャストおよびユニキャスト関連のプロトコル規定を参照されたい。詳細については、本明細書で改めて説明しない。
【０１６５】
アクセスネットワークデバイスは、異なるマルチキャストセッションにマルチキャストベアラを確立し、各マルチキャストベアラは、１つのマルチキャストＰＤＣＰ層に対応する。ＰＤＣＰ層より前に、様々なサービスからのマッピング機能エンティティがベアラにさらに追加されてよい。例えば、５Ｇにおいては、ＰＤＣＰ層の上方にＳＤＡＰ（サービスデータ適用プロトコル，ｓｅｒｖｉｃｅ  ｄａｔａ  ａｄａｐｔａｔｉｏｎ  ｐｒｏｔｏｃｏｌ）層が存在する。ＳＤＡＰ層は、フロー（ｆｌｏｗ）からＰＤＣＰ層までのマッピングに使用され、本発明のこの実施形態においてにおける核心内容の機能とは関係なく、これにより、続いての説明は省略される。マルチキャストＰＤＣＰは、マルチキャストサービスＳＤＵにシーケンス番号（ｓｅｑｕｅｎｃｅ  ｎｕｍｂｅｒ，ＳＮ）を追加し、ＳＮは、データパケットの分類および再伝送要求のために、受信側により使用される。マルチキャストＰＤＣＰ層はさらに、マルチキャストデータパケットを暗号化できる。マルチキャストＰＤＣＰ層は、端末暗号鍵の代わりにサービス暗号鍵を使用し、異なるユーザがマルチキャストＰＤＣＰ層を解読できることを保証する。ＰＤＣＰ層は、データパケットのヘッダに対してヘッダ圧縮を実行してもよい。そして、ＰＤＣＰヘッダはデータパケットに追加され、ＰＤＣＰヘッダを有するデータパケットは、複製およびルーティングモジュールに送信される。最下層においてユニキャスト方式で送信されたデータパケットは複製され得、そして後続の再伝送要求を処理するためのキューにバッファリングされる。マルチキャスト方式で送信されたデータパケットは、複製およびバッファリングの必要がない場合がある。
【０１６６】
データパケットを処理した後、ＰＤＣＰ層は、取得されたパケットデータユニット（ｐａｃｋｅｔ  ｄａｔａ  ｕｎｉｔ，ＰＤＵ）データをＲＬＣモジュールに送信する。フィードバックをマルチキャスト方式で実行することができないので、マルチキャストＲＬＣエンティティはさらに、ＵＭモードを使用することにより最下層においてマルチキャストＭＡＣエンティティにデータをマッピングし得、独立ＨＡＲＱエンティティおよび独立スケジューリング識別子（Ｇ‐ＲＮＴＩなど）を使用することにより、対応するマルチキャスト物理層により提供されるマルチキャスト物理チャネルにおけるデータを送信する。ユニキャスト状態にあるユーザ機器の場合、マルチキャストＰＤＣＰ層は、マルチキャストグループのメンバ情報に基づいて、マルチキャストサービスと関連付けられる、対応するユーザ機器のユニキャストＲＬＣエンティティに、データを送信し得る。本明細書において、ＲＬＣエンティティは、ＡＭモードまたはＵＭモードを選択し得、そしてユーザ機器のＲＬＣエンティティは、ユニキャストＭＡＣエンティティにデータを送信する。ユーザ機器のユニキャストＨＡＲＱエンティティは、ユニキャストスケジューリング、およびユニキャスト物理層におけるＨＡＲＱデータの送信の役割を担当する。
【０１６７】
ユーザ機器がユニキャスト方式またはマルチキャスト方式を使用してもよく、ユニキャスト方式とマルチキャスト方式との両方が作用するハイブリッドモードを使用してもよいことが、上述のシナリオの説明から分かり得る。１つのみの受信方式または送信方式が使用される場合、ユーザ機器は、アクセスネットワークデバイスの構成に基づいてマルチキャストＲＬＣエンティティまたはユニキャストＲＬＣエンティティを使用することによりデータパケットを受信し得、そしてマルチキャストＰＤＣＰ層にデータパケットを供給する。ハイブリッドモードにおいて、マルチキャストＲＬＣエンティティとユニキャストＲＬＣエンティティとは、マルチキャストＰＤＣＰ層にＰＤＵデータを同時に提出し得、ＰＤＣＰ層は、ＳＮに基づいて、ＲＬＣエンティティにより提出されたＰＤＵデータを分類または繰り返し決定する。データパケットが失われたとＰＤＣＰ層が決定する場合、例えば、ＳＮが不連続である場合、ＰＤＣＰ層は再伝送要求を開始し、例えば、ＰＤＣＰステータスレポートを使用することにより、失われたデータパケットのＳＮ番号をアクセスネットワークデバイスに通知し得る。再伝送要求は、アクセスネットワークデバイスに対応するユニキャストＲＬＣエンティティにユニキャスト方式でフィードバックされ、アクセスネットワークデバイスのユニキャストＲＬＣエンティティにより、マルチキャストＰＤＣＰ層に提出される。マルチキャストＰＤＣＰ層は、ユニキャストＲＬＣエンティティを使用することにより、対応するＳＮを有するＰＤＵデータを再伝送する。このように、データ再伝送が完了する。
【０１６８】
図１９は、マルチキャスト方式とユニキャスト方式とがＲＬＣ層において切り換えられるプロトコルスタック構造を示す。マルチキャストＲＬＣエンティティは、データパケットのセグメント化を担当し、そして、送信のためのマルチキャストＭＡＣエンティティにデータパケットを送信する。ユニキャスト方式を使用するユーザ機器の場合、マルチキャストＲＬＣエンティティは、ＰＤＵデータを複製し、ユニキャスト送信のためのユーザ機器に対応するユニキャストＭＡＣ  ＨＡＲＱエンティティにＰＤＵデータを送信する。ユーザ機器がハイブリッドモードにあり、マルチキャスト方式での受信が失敗する場合、ユーザ機器のＡＲＱエンティティはＲＬＣステータス報告を開始し、失われたＲＬＣ  ＳＮ識別子に対応するＰＤＵデータを再伝送するように、アクセスネットワークデバイスのマルチキャストＲＬＣエンティティを要求する。ＰＤＣＰ層により切り換えが制御される方法と比較すると、マルチキャストＲＬＣエンティティにより開始される再伝送は、ＲＬＣ  ＰＤＵ粒度で実行され得、それにより全体のＰＤＣＰ  ＰＤＵデータの再伝送を回避する。全体のＰＤＣＰ  ＰＤＵデータは通常、ＩＰパケット粒度で再伝送され、マルチキャストＲＬＣエンティティは、エアインタフェースのリソースステータスに基づいて、マルチキャストＰＤＣＰ  ＰＤＵデータをいくつかのセグメントにセグメントし得、これにより大きい再伝送粒度によってもたらされる再伝送リソースの浪費問題が回避される。ユーザ機器がデータの再伝送を要求する場合、マルチキャストＲＬＣエンティティはさらに、ユーザ機器の現在の無線リソースステータスに基づいて、再伝送される必要があるＲＬＣ  ＰＤＵデータを改めてセグメント化し得る。
【０１６９】
本発明の実施形態は、様々な無線アクセス基準に適用され得、マルチキャスト方式とユニキャスト方式との間の協働はＰＤＣＰ層に基づいて実装され、これにより、例えば、ＬＴＥマルチキャスト、ＮＲユニキャスト、ＬＴＥマルチキャスト、またはＷＬＡＮユニキャストが実装される。
【０１７０】
本発明の実施形態はさらに、アクセスネットワークデバイスを提供する。図２０に示されるように、アクセスネットワークデバイスは、
ユーザ機器に指示情報を送信するように構成される指示送信ユニット２００１であって、ここで、指示情報は、マルチキャストサービスデータの受信方式を示すのに使用され、受信方式は、ユニキャスト方式および／またはマルチキャスト方式を含む、指示送信ユニット２００１と、
指示情報により示されるユニキャスト方式および／またはマルチキャスト方式でマルチキャストサービスデータを送信するように構成されるデータ送信ユニット２００２と
を含む。
【０１７１】
任意の実装において、アクセスネットワークデバイスはさらに、
ユーザ機器に構成情報を送信するように構成される構成送信ユニット２００３であって、ここで、構成情報は、マルチキャストサービスデータを受信するのに使用される、構成送信ユニット２００３を含む。
【０１７２】
任意の実装において、構成情報は、
マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【０１７３】
任意の実装において、アクセスネットワークデバイスはさらに、
ユーザ機器またはコアネットワークデバイスにより送信されるマルチキャストサービス情報を受信するように構成される情報受信ユニット２００４であって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、情報受信ユニット２００４を含む。
【０１７４】
任意の実装において、情報受信ユニット２００４が、ユーザ機器またはコアネットワークデバイスにより送信されるマルチキャストサービス情報を受信するように構成されることは、
コアネットワークデバイスにより送信されるマルチキャストセッション確立要求を受信する段階であって、ここで、マルチキャストセッション確立要求は、ユーザ機器の識別子情報およびマルチキャストサービスの識別子情報を含む、受信する段階、または、
コアネットワークデバイスまたはユーザ機器により送信されるマルチキャストメンバ変更情報を受信する段階を含む。
【０１７５】
任意の実装において、アクセスネットワークデバイスはさらに、
マルチキャストサービスデータを受信するユーザ機器の数に基づいて、ユニキャスト方式および／またはマルチキャスト方式でマルチキャストサービスデータを受信するようにユーザ機器に命令すること、または、
ユーザ機器により送信されるチャネル測定情報を受信し、チャネル測定情報に基づいて、ユニキャスト方式および／またはマルチキャスト方式でマルチキャストサービスデータを受信するようにユーザ機器に命令すること
を行うように構成される、方式決定ユニット２００５を含む。
【０１７６】
任意の実装において、構成情報は、第１マルチキャスト構成情報および第２マルチキャスト構成情報を含み、
指示情報は、マルチキャストサービスデータの受信方式がマルチキャスト方式を含むことを示し、指示情報は、第１マルチキャスト構成情報または第２マルチキャスト構成情報が、マルチキャストサービスデータを受信するのに使用されることを示す。
【０１７７】
任意の実装において、
データ送信ユニット２００２はさらに、ユーザ機器の命令に従って、ユニキャスト方式でマルチキャストサービスデータにおける少なくとも１つのデータパケットを送信すること、または、
コアネットワークデバイスの指示に従って、ユニキャスト方式でマルチキャストサービスデータにおける少なくとも１つのデータパケットを送信すること、または、
少なくとも１つのデータパケットの種類情報に基づいて、ユニキャスト方式でマルチキャストサービスデータにおける少なくとも１つのデータパケットを送信すること
を行うように構成される。
【０１７８】
任意の実装において、少なくとも１つのデータパケットは、マルチキャスト方式で送信され、アクセスネットワークデバイスにおいてバッファリングされるマルチキャストサービスデータであるか、または、マルチキャスト方式で送信され、マルチキャストサービスデータソースから受信されるマルチキャストサービスデータである。
【０１７９】
任意の実装において、アクセスネットワークデバイスはさらに、
ユーザ機器により送信される受信ステータス情報を受信するように構成されるステータス受信ユニット２００６であって、ここで、受信ステータス情報は、マルチキャストサービスデータにおけるデータパケットの受信ステータスを示すのに使用される、ステータス受信ユニット２００６を含み、
ここで、データ送信ユニット２００２はさらに、受信ステータス情報に基づいて、ユニキャスト方式でユーザ機器にマルチキャストサービスデータにおける受信に失敗したデータパケットを送信するように構成される。
【０１８０】
任意の実装において、データ送信ユニット２００２は、パケットデータコンバージェンスプロトコルＰＤＣＰ層を使用することにより、ユニキャスト無線リンク制御ＲＬＣエンティティに送信対象のマルチキャストサービスデータを送信することと、ユニキャスト方式で送信対象のマルチキャストサービスデータを送信することとを行うように構成される。
【０１８１】
任意の実装において、データ送信ユニット２００２はさらに、パケットデータコンバージェンスプロトコルＰＤＣＰ層において送信対象のマルチキャストサービスデータを複製することと、送信対象のマルチキャストサービスデータを記憶することとを行うように構成される。
【０１８２】
任意の実装において、データ送信ユニット２００２は、マルチキャストパケットデータコンバージェンスプロトコルＰＤＣＰ層を使用することにより、マルチキャスト無線リンク制御ＲＬＣエンティティに送信対象のマルチキャストサービスデータを送信することを行うように構成され、ここで、マルチキャスト無線リンク制御ＲＬＣエンティティは、ユニキャスト媒体アクセス制御ＭＡＣエンティティに送信対象のマルチキャストサービスデータを送信し、ユニキャスト媒体アクセス制御ＭＡＣエンティティは、ユニキャスト方式で送信対象のマルチキャストサービスデータを送信する。
【０１８３】
本発明の実施形態はさらに、ユーザ機器を提供する。図２１に示されるように、ユーザ機器は、
アクセスネットワークデバイスにより送信される指示情報を受信するように構成される指示受信ユニット２１０１であって、ここで、指示情報は、マルチキャストサービスデータの受信方式を示すのに使用され、受信方式は、ユニキャスト方式および／またはマルチキャスト方式を含む、指示受信ユニット２１０１と、
指示情報により示されるユニキャスト方式および／またはマルチキャスト方式でマルチキャストサービスデータを受信するように構成されるデータ受信ユニット２１０２と
を含む。
【０１８４】
任意の実装において、ユーザ機器はさらに、
アクセスネットワークデバイスにより送信される構成情報を受信するように構成される構成受信ユニット２１０３であって、ここで、構成情報は、マルチキャストサービスデータを受信するのに使用される、構成受信ユニット２１０３を含む。
【０１８５】
任意の実装において、構成情報は、
マルチキャストベアラの構成情報、マルチキャストベアラに対応するマルチキャストセッション情報、マルチキャストベアラの論理チャネル情報、マルチキャストスケジューリング識別子情報、マルチキャスト方式でマルチキャストサービスデータを送信するための伝送チャネルについての情報、ユニキャスト方式でマルチキャストサービスデータを送信するための伝送チャネルについての情報、マルチキャスト論理チャネル情報、マルチキャストサービスデータの伝送チャネルの測定構成情報、およびマルチキャストに関連付けられたユニキャスト構成情報の少なくとも１つを含む。
【０１８６】
任意の実装において、ユーザ機器はさらに、
アクセスネットワークデバイスにマルチキャストサービス情報を送信するように構成される情報送信ユニット２１０４であって、ここで、マルチキャストサービス情報は、マルチキャストサービスデータを受信するようにユーザ機器に命令するのに使用され、マルチキャストサービス情報は、ユーザ機器の識別子情報およびマルチキャストサービスの識別子情報を含む、情報送信ユニット２１０４を含む。
【０１８７】
任意の実装において、情報送信ユニット２１０４が、アクセスネットワークデバイスにマルチキャストサービス情報を送信するように構成されることは、アクセスネットワークデバイスにマルチキャストメンバ変更情報を送信することを含む。
【０１８８】
任意の実装において、
データ受信ユニット２１０２は、マルチキャストサービスデータを受信するユーザ機器の数に基づいて、マルチキャストサービスデータを受信するためのユニキャスト方式および／またはマルチキャスト方式を選択すること、または、
ユーザ機器のチャネル測定情報に基づいて、マルチキャストサービスデータを受信するためのユニキャスト方式および／またはマルチキャスト方式を選択すること
を行うように構成される。
【０１８９】
任意の実装において、構成情報は、第１マルチキャスト構成情報および第２マルチキャスト構成情報を含み、
指示情報は、マルチキャストサービスデータの受信方式がマルチキャスト方式を含むことを示し、指示情報は、第１マルチキャスト構成情報または第２マルチキャスト構成情報が、マルチキャストサービスデータを受信するのに使用されることを示す。
【０１９０】
任意の実装において、ユーザ機器はさらに、
ユニキャスト方式でマルチキャストサービスデータにおける少なくとも１つのデータパケットを送信するようにアクセスネットワークデバイスに命令するように構成される指示送信ユニット２１０５を含む。
【０１９１】
任意の実装において、ユーザ機器はさらに、
アクセスネットワークデバイスに受信ステータス情報を送信するように構成されるステータス送信ユニット２１０６であって、ここで、受信ステータス情報は、マルチキャストサービスデータにおけるデータパケットの受信ステータスを示すのに使用される、ステータス送信ユニット２１０６を含み、
ここで、データ受信ユニット２１０２は、アクセスネットワークデバイスにより送信されるマルチキャストサービスデータにおける受信に失敗したデータパケットを受信するように構成される。
【０１９２】
任意の実装において、ステータス送信ユニット２１０６はさらに、パケットデータコンバージェンスプロトコルＰＤＣＰ層においてパケット損失検出を実行し、受信ステータス情報を取得するように構成される。
【０１９３】
任意の実装において、
データ受信ユニット２１０２はさらに、ユニキャスト無線リンク制御ＲＬＣエンティティにおいて、受信されたマルチキャストサービスデータをマルチキャストパケットデータコンバージェンスプロトコルＰＤＣＰ層に送信するように構成される。
【０１９４】
図２２は、本発明の一実施形態に係るデバイス２２０を示す。デバイス２２０は、プロセッサ２２０１、メモリ２２０２、および送受信機２２０３を含む。プロセッサ２２０１、メモリ２２０２、および送受信機２２０３は、バスを使用することにより互いに接続される。
【０１９５】
メモリ２２０２は、限定されないが、ランダムアクセスメモリ（ｒａｎｄｏｍ  ａｃｃｅｓｓ  ｍｅｍｏｒｙ，ＲＡＭ）、リードオンリメモリ（ｒｅａｄ‐ｏｎｌｙ  ｍｅｍｏｒｙ，ＲＯＭ）、消去可能プログラマブルリードオンリメモリ（ｅｒａｓａｂｌｅ  ｐｒｏｇｒａｍｍａｂｌｅ  ｒｅａｄ  ｏｎｌｙ  ｍｅｍｏｒｙ，ＥＰＲＯＭ）、またはコンパクトディスクリードオンリメモリ（ｃｏｍｐａｃｔ  ｄｉｓｃ  ｒｅａｄ‐ｏｎｌｙ  ｍｅｍｏｒｙ，ＣＤ−ＲＯＭ）を含む。メモリ２２０２は、関連命令および関連データを記憶するように構成される。送受信機２２０３は、データを受信および送信するように構成される。
【０１９６】
プロセッサ２２０１は、１または複数の中央演算処理装置（ｃｅｎｔｒａｌ  ｐｒｏｃｅｓｓｉｎｇ  ｕｎｉｔ，ＣＰＵ）であってよい。プロセッサ２２０１が１つのＣＰＵである場合、ＣＰＵは、シングルコアＣＰＵまたはマルチコアＣＰＵであってよい。
【０１９７】
デバイス２２０におけるプロセッサ２２０１は、メモリ２２０２に記憶されたプログラムコードを読み出すように構成される。 メモリ２２０２は、プログラムコードを記憶する。
【０１９８】
プロセッサ２２０１は、プログラムコードを読み出し、送受信機２２０３と協働して、本発明の実施形態のいずれか１つに係るアクセスネットワークデバイスまたはユーザ機器により実行される任意の方法を実装するように構成される。送受信機２２０３は、上述のユーザ機器またはアクセスネットワークデバイスにおける受信および送信機能を実装する様々なユニットの機能を実装してよく、別の機能はプロセッサ２２０１により実装される。
【０１９９】
図２３は、本願のいくつかの実施形態に係るユーザ機器２３０を示す。図２３に示されるように、ユーザ機器２３０は、入力／出力モジュール（オーディオ入力／出力モジュール２３１８、キー入力モジュール２３１６、およびディスプレイ２３２０などを含む）、ユーザインタフェース２３０２、１または複数のプロセッサ２３０４、送信機２３０６、受信機２３０８、カプラ２３１０、アンテナ２３１４、およびメモリ２３１２を含んでよい。これらのコンポーネントは、バスまたは別の方式を使用することにより接続されてよい。図２３では、コンポーネントがバスを使用することにより接続される例が使用される。
【０２００】
アンテナ２３１４は、空いた空間において電磁エネルギーを電磁波に変換すること、または、空いた空間における電磁波を伝送ラインにおける電磁エネルギーに変換することを行うように構成されてよい。カプラ２３１０は、アンテナ２３１４により受信されたモバイル通信信号を複数の信号に分割し、複数の信号を複数の受信機２３０８に割り当てるように構成される。送信機２３０６は、プロセッサ２３０４により出力される信号を伝送するように構成されてよい。
【０２０１】
受信機２３０８は、アンテナ２３１４により受信されるモバイル通信信号を受信するように構成されてよい。
【０２０２】
本願のいくつかの実施形態において、送信機２３０６および受信機２３０８は、無線モデムとみなされてよい。ユーザ機器２３０には、１または複数の送信機２３０６および１または複数の受信機２３０８があってよい。
【０２０３】
図２３に示される送信機２３０６および受信機２３０８に加えて、ユーザ機器２３０はさらに、他の通信コンポーネント、例えば、ＧＰＳモジュール、ブルートゥース（登録商標）（Ｂｌｕｅｔｏｏｔｈ）モジュール、およびワイヤレスフィデリティ（ｗｉｒｅｌｅｓｓ  ｆｉｄｅｌｉｔｙ，Ｗｉ−Ｆｉ）モジュールを含んでよい。上記の無線通信信号に加えて、ユーザ機器２３０は、別の無線通信信号、例えば、衛星信号または短波信号をサポートしてよい。
【０２０４】
入力／出力モジュールは、ユーザ機器２３０とユーザ／外部環境との間のインタラクションを実装するように構成されてよく、主にオーディオ入力および出力モジュール２３１８、キー入力モジュール２３１６、およびディスプレイ２３２０などを含んでよい。具体的に、入力／出力モジュールはさらに、カメラ、タッチスクリーン、およびセンサなどを含んでよい。全ての入力／出力モジュールは、ユーザインタフェース２３０２を使用することによりプロセッサ２３０４を通信する。
【０２０５】
メモリ２３１２はプロセッサ２３０４と結合され、様々なソフトウェアプログラムおよび／または複数のセットの命令を記憶するように構成される。具体的に、メモリ２３１２は高速ランダムアクセスメモリを含んでもよく、非揮発性メモリ、例えば、１または複数の磁気ディスク記憶デバイス、フラッシュメモリデバイス、または別の非揮発性ソリッドステート記憶デバイスを含んでもよい。メモリ２３１２は、オペレーティングシステム（以下では簡潔にシステムと称される）、例えば、組み込みオペレーティングシステム、Ａｎｄｒｏｉｄ（登録商標）、ＩＯＳ、Ｗｉｎｄｏｗｓ（登録商標）、またはＬｉｎｕｘ（登録商標）などを記憶してよい。メモリ２３１２はさらに、ネットワーク通信プログラムを記憶してよい。ネットワーク通信プログラムは、１または複数の追加デバイス、１または複数のユーザ機器、または１または複数のネットワークデバイスと通信するように構成されてよい。メモリ２３１２はさらに、ユーザインタフェースプログラムを記憶してよい。ユーザインタフェースプログラムは、グラフィックオペレーションインタフェースを使用することにより応用プログラムの内容を鮮明に表示し、メニュー、ダイアログボックス、キーなどの入力制御を使用することにより、応用プログラムに対してユーザの制御オペレーションを受信し得る。
【０２０６】
本願のいくつかの実施形態において、メモリ２３１２は、ユーザ機器２３０の側に、本願の１または複数の実施形態に係るシステムメッセージ受信方法を実装するためのプログラムを記憶するように構成され得る。本願の１または複数の実施形態に係るシステムメッセージ受信方法の実装については、後続の実施形態を参照されたい。
【０２０７】
プロセッサ２３０４は、コンピュータ可読命令を読み出し、実行するように構成され得る。具体的に、プロセッサ２３０４は、メモリ２３１２に記憶されたプログラムを呼び出し、プログラムに含まれる命令を実行して、後続の実施形態における方法を実装するように構成され得る。
【０２０８】
ユーザ機器２３０は、本発明の実施形態において上に説明された通信システムにおけるユーザ機器であってもよく、移動デバイス、移動局（ｍｏｂｉｌｅ  ｓｔａｔｉｏｎ）、移動ユニット（ｍｏｂｉｌｅ  ｕｎｉｔ）、無線ユニット、遠隔ユニット、ユーザエージェント、または移動クライアントなどとして実装されてもよいことが理解され得る。
【０２０９】
図２３に示されるユーザ機器２３０は、本願の実施形態の一実装に過ぎないことを留意されたい。実際の応用において、ユーザ機器２３０は、より多いまたはより少ないコンポーネントを含み得、これは本明細書において限定されない。この実施形態において、プロセッサ２３は、図２２に示されるプロセッサに対応し得る。送信機２３０６と受信機２３０８とは、送信機能と受信機能とを実装するユニットにそれぞれ対応し得る。
【０２１０】
本発明の実施形態はさらに、記憶媒体を提供する。記憶媒体はプログラムコードを記憶し、プログラムコードはプログラム命令を含む。プログラム命令がプロセッサにより実行される場合、プロセッサは、送受信機と協働して、本発明の実施形態のいずれか１つに係る上述の方法を実行する。
【０２１１】
本発明の実施形態はさらに、コンピュータプログラム製品を提供する。コンピュータプログラム製品は、プログラム命令を含む。プログラムコードがプロセッサにより実行される場合、プロセッサは、送受信機と協働して、本発明の実施形態のいずれか１つに係る上述の方法を実行する。
【０２１２】
当業者であれば、実施形態における方法の全てまたはいくつかの手順が、関連ハードウェアに命令するコンピュータプログラムにより実装され得ることを理解し得る。プログラムは、コンピュータ可読記憶媒体に記憶され得る。プログラムが動作する場合、上述の方法の手順が実行される。上述の記憶媒体は、ＲＯＭもしくはランダムアクセスメモリＲＡＭ、磁気ディスク、または光ディスクなどの、プログラムコードを記憶できるあらゆる媒体を含む。
【図１Ａ】
2021508968.tif 000003
【図１Ｂ】
2021508968.tif 000004
【図１Ｃ】
2021508968.tif 000005
【図２】
2021508968.tif 000006
【図３】
2021508968.tif 000007
【図４Ａ】
2021508968.tif 000008
【図４Ｂ】
2021508968.tif 000009
【図４Ｃ】
2021508968.tif 000010
【図５】
2021508968.tif 000011
【図６】
2021508968.tif 000012
【図７】
2021508968.tif 000013
【図８】
2021508968.tif 000014
【図９】
2021508968.tif 000015
【図１０】
2021508968.tif 000016
【図１１】
2021508968.tif 000017
【図１２】
2021508968.tif 000018
【図１３】
2021508968.tif 000019
【図１４】
2021508968.tif 000020
【図１５】
2021508968.tif 000021
【図１６】
2021508968.tif 000022
【図１７】
2021508968.tif 000023
【図１８Ａ】
2021508968.tif 000024
【図１８Ｂ】
2021508968.tif 000025
【図１９】
2021508968.tif 000026
【図２０】
2021508968.tif 000027
【図２１】
2021508968.tif 000028
【図２２】
2021508968.tif 000029
【図２３】
2021508968.tif 000030
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
通信方法であって、
アクセスネットワークデバイスが、ユーザ機器に指示情報を送信する段階であって、前記指示情報は、マルチキャストサービスデータの受信方式を示すのに使用され、前記受信方式は、ユニキャスト方式および／またはマルチキャスト方式を含む、送信する段階と、
前記アクセスネットワークデバイスが、前記指示情報により示される前記ユニキャスト方式および／または前記マルチキャスト方式で前記マルチキャストサービスデータを送信する段階と
を備える、方法。
【請求項２】
前記方法はさらに、
前記アクセスネットワークデバイスが、前記ユーザ機器に構成情報を送信する段階であって、前記構成情報は前記マルチキャストサービスデータを受信するのに使用される、送信する段階を備える、請求項１に記載の方法。
【請求項３】
前記構成情報は、
マルチキャストベアラの構成情報、前記マルチキャストベアラに対応するマルチキャストセッション情報、前記マルチキャストベアラの論理チャネル情報、マルチキャストスケジューリング識別子情報、前記マルチキャスト方式で前記マルチキャストサービスデータを送信するための伝送チャネルについての情報、前記ユニキャスト方式で前記マルチキャストサービスデータを送信するための伝送チャネルについての情報、マルチキャスト論理チャネル情報、前記マルチキャストサービスデータの前記伝送チャネルの測定構成情報、およびマルチキャストに関連付けられたユニキャスト構成情報の少なくとも１つを備える、請求項２に記載の方法。
【請求項４】
前記方法はさらに、
前記アクセスネットワークデバイスが、前記ユーザ機器またはコアネットワークデバイスにより送信されるマルチキャストサービス情報を受信する段階であって、前記マルチキャストサービス情報は、前記マルチキャストサービスデータを受信するように前記ユーザ機器に命令するのに使用され、前記マルチキャストサービス情報は、前記ユーザ機器の識別子情報およびマルチキャストサービスの識別子情報を含む、受信する段階を備える、請求項１に記載の方法。
【請求項５】
前記アクセスネットワークデバイスが、前記ユーザ機器またはコアネットワークデバイスにより送信されるマルチキャストサービス情報を受信する前記段階は、
前記アクセスネットワークデバイスが、前記コアネットワークデバイスによる送信されるマルチキャストセッション確立要求を受信する段階であって、前記マルチキャストセッション確立要求は、前記ユーザ機器の識別子情報および前記マルチキャストサービスの識別子情報を含む、受信する段階、または
前記アクセスネットワークデバイスが、前記コアネットワークデバイスまたは前記ユーザ機器により送信されるマルチキャストメンバ変更情報を受信する段階と
を含む、請求項４に記載の方法。
【請求項６】
前記方法はさらに、
前記マルチキャストサービスデータを受信するユーザ機器の数に基づいて、前記アクセスネットワークデバイスが、前記ユニキャスト方式および／または前記マルチキャスト方式で前記マルチキャストサービスデータを受信するように前記ユーザ機器に命令する段階、または、
前記アクセスネットワークデバイスが、前記ユーザ機器により送信されるチャネル測定情報を受信し、前記チャネル測定情報に基づいて、前記ユニキャスト方式および／または前記マルチキャスト方式で前記マルチキャストサービスデータを受信するように前記ユーザ機器に命令する段階
を備える、請求項１から５のいずれか一項に記載の方法。
【請求項７】
通信方法であって、
ユーザ機器が、アクセスネットワークデバイスにより送信される指示情報を受信する段階であって、前記指示情報は、マルチキャストサービスデータの受信方式を示すのに使用され、前記受信方式は、ユニキャスト方式および／またはマルチキャスト方式を含む、受信する段階と、
前記ユーザ機器が、前記指示情報により示される前記ユニキャスト方式および／または前記マルチキャスト方式で前記マルチキャストサービスデータを受信する段階と
を備える、方法。
【請求項８】
前記方法はさらに、
前記ユーザ機器が、前記アクセスネットワークデバイスにより送信される構成情報を受信する段階であって、前記構成情報は、前記マルチキャストサービスデータを受信するのに使用される、受信する段階を備える、請求項７に記載の方法。
【請求項９】
前記構成情報は、
マルチキャストベアラの構成情報、前記マルチキャストベアラに対応するマルチキャストセッション情報、前記マルチキャストベアラの論理チャネル情報、マルチキャストスケジューリング識別子情報、前記マルチキャスト方式で前記マルチキャストサービスデータを送信するための伝送チャネルについての情報、前記ユニキャスト方式で前記マルチキャストサービスデータを送信するための伝送チャネルについての情報、マルチキャスト論理チャネル情報、前記マルチキャストサービスデータの前記伝送チャネルの測定構成情報、およびマルチキャストに関連付けられたユニキャスト構成情報の少なくとも１つを備える、請求項８に記載の方法。
【請求項１０】
前記方法はさらに、
前記ユーザ機器が、前記アクセスネットワークデバイスにマルチキャストサービス情報を送信する段階であって、前記マルチキャストサービス情報は、前記マルチキャストサービスデータを受信するように前記ユーザ機器に命令するのに使用され、前記マルチキャストサービス情報は、前記ユーザ機器の識別子情報またはマルチキャストサービスの識別子情報を含む、送信する段階を備える、
請求項７に記載の方法。
【請求項１１】
前記ユーザ機器が、前記アクセスネットワークデバイスにマルチキャストサービス情報を送信する前記段階は、
前記ユーザ機器が、前記アクセスネットワークデバイスにマルチキャストメンバ変更情報を送信する段階を含む、請求項１０に記載の方法。
【請求項１２】
前記方法はさらに、
前記ユーザ機器が、前記マルチキャストサービスデータを受信するユーザ機器の数に基づいて、前記マルチキャストサービスデータを受信するための前記ユニキャスト方式および／または前記マルチキャスト方式を選択する段階、または、
前記ユーザ機器が、前記ユーザ機器のチャネル測定情報に基づいて、前記マルチキャストサービスデータを受信するための前記ユニキャスト方式および／または前記マルチキャスト方式を選択する段階を備える、請求項７から１１のいずれか一項に記載の方法。
【請求項１３】
プロセッサ、メモリ、および送受信機を備えるアクセスネットワークデバイスであって、前記プロセッサ、前記メモリ、および前記送受信機は通信をサポートする方式で接続され、
前記メモリは、プログラムコードを記憶し、
前記プロセッサは、前記プログラムコードを読み出し、前記送受信機と協働して、請求項１から６のいずれか一項に記載の方法を実装するように構成される、アクセスネットワークデバイス。
【請求項１４】
プロセッサ、メモリ、および送受信機を備えるユーザ機器であって、前記プロセッサ、前記メモリ、および前記送受信機は通信をサポートする方式で接続され、
前記メモリは、プログラムコードを記憶し、
前記プロセッサは、前記プログラムコードを読み出し、前記送受信機と協働して、請求項７から１２のいずれか一項に記載の方法を実装するように構成される、ユーザ機器。
【請求項１５】
プロセッサに、請求項１から１２のいずれか一項に記載の方法を実行させるプログラム。
【手続補正２】
【補正対象書類名】明細書
【補正対象項目名】０１２３
【補正方法】変更
【補正の内容】
【０１２３】
図５における六角形領域の右側に示されるように、マルチキャスト領域においてマルチキャストサービスデータを受信するユーザ機器の数が指定された閾値より多い場合、基地局は、マルチキャスト方式でマルチキャストグループにおけるユーザ機器にマルチキャストサービスデータを送信するように選択し、エアインターフェースリソースを節約し得る。基地局は、マルチキャストサービスデータを受信するユーザ機器を構成し、これにより全てのユーザ機器が同じマルチキャストＩＤを使用することにより同じスケジューリング情報を受信でき、同じ無線リソースで同じマルチキャストサービスデータを受信できるようにし得る。マルチキャストＩＤは、例えば、グループＲＮＴＩ、グループＭＡＣアドレス、ＴＭＧＩ、または別の同様のマルチキャストサービスエアインタフェースＩＤであってよい。指定された閾値は、アクセスネットワーク管理システムにより予め構成されてもよく、マルチキャストセッションが確立される場合にコアネットワークによりアクセスネットワークに搬送されてもよい。
【手続補正３】
【補正対象書類名】明細書
【補正対象項目名】０１６２
【補正方法】変更
【補正の内容】
【０１６２】
ユーザ機器は、フィードバック情報と再伝送データパケットとの間の固定関係（例えば、物理層フィードバックチャネルを使用することによりＮＡＣＫを送信する方式）を使用することにより、アクセスネットワークデバイスが、（ｎ−ｋ）番目のサブフレームで送信されたデータパケットをユニキャスト方式で再伝送することを指定する。ここで、ｎはＮＡＣＫを送信するためのサブフレームである。代替的に、ユーザ機器は、明示的なデータパケット番号（例えば、ＲＬＣまたはＰＤＣＰステータスレポート）を使用することにより、シーケンス番号がｘである（ｓｅｑｕｅｎｃｅ  ｎｕｍｂｅｒ  ｘ，ＳＮｘ）１または複数のデータパケットが再伝送される必要があることを明示的に示し得る。
【国際調査報告】
2021508968.tif 000031
2021508968.tif 000032
2021508968.tif 000033
2021508968.tif 000034